(57)【特許請求の範囲】
【請求項１】
配信用クラウド（１０）と、当該配信用クラウド（１０）とインターネット網Ｎを介して接続された管理者端末（２０）、配信者端末（３０ａ、３０ｂ）、および視聴者端末（４０ｎ）で構成される告知配信システムであって、
前記配信用クラウド（１０）は、
データベースサーバ（６０）、前記データベースサーバ（６０）に接続された配信管理サーバ（７０）、および前記配信管理サーバ（７０）に接続された告知配信サーバ（８１ａ、８１ｂ）で構成され、
前記データベースサーバ（６０）は、
配信者ＩＤが付与された配信者登録情報（Ｈｎ）、および前記配信者ＩＤで関連付けられた配信者別配信先リスト（ＬＨｎ）が保存される配信者情報データベース（２０１）と、
視聴者ＩＤが付与された視聴者登録情報（Ｃｎ）、および前記視聴者ＩＤで関連付けられた配信者選択リスト（ＬＣｎ）が保存される視聴者情報データベース（２０２）と、
告知ＩＤが付与された告知情報Ｍｎに含まれる告知基本情報（ＭＫｎ）が登録されるサーバメモリ（２０４）と、
前記配信者登録情報（Ｈｎ）に登録された全ての前記配信者ＩＤと配信者名称を設定した配信者選択フォーマットを前記視聴者端末（４０ｎ）に送信し、
前記視聴者端末（４０ｎ）から返信された前記配信者選択フォーマットに配信選択および配信期間が設定された配信者別設定情報（ＨＳｎ）を、前記視聴者情報データベース（２０２）の前記配信者選択リスト（ＬＣｎ）に保存し、
前記配信選択で配信希望と選択された前記配信者ＩＤに対応する前記配信者別配信先リスト（ＬＨｎ）に、前記配信者選択リスト（ＬＣｎ）に設定された前記視聴者ＩＤを配信先視聴者ＩＤとして追加し、さらに前記配信期間を設定する配信者設定部（１１０）と、
一定時間ごとに、前記告知基本情報ＭＫｎに含まれる前記配信者ＩＤに対応する前記配信者別配信先リスト（ＬＨｎ）から、前記配信先視聴者ＩＤと前記配信期間を読み出し、前記配信期間内であれば、前記配信先視聴者ＩＤに前記告知基本情報ＭＫｎを追加して配信データ（ＨＤｎ）を作成し、前記サーバメモリ（２０４）の配信リスト（ＤＴ）に保存する配信データ抽出部（１０５）と、
一定時間ごとに、前記配信リスト（ＤＴ）に保存された前記配信データ（ＨＤｎ）を読み出し、前記配信管理サーバ（７０）に送信するタイトル配信部（１０６）を含み、
前記配信管理サーバ（７０）は、
前記データベースサーバ（６０）から送信される前記配信データ（ＨＤｎ）を、前記配信データ（ＨＤｎ）に含まれる前記配信先視聴者ＩＤに割り当てられた前記告知配信サーバ（８１ａ、８１ｂ）に転送する手段を含み、
前記告知配信サーバ（８１ａ、８１ｂ）は、
前記配信管理サーバ（７０）から送信される前記配信データ（ＨＤｎ）を、前記配信データ（ＨＤｎ）に含まれる前記配信先視聴者ＩＤの前記視聴者端末（４０ｎ）に配信する手段を含み、
前記視聴者端末（４０ｎ）は、
端末メモリ（４８）と、
前記データベースサーバ（６０）から受信する前記配信者選択フォーマットに、前記配信選択および前記配信期間が設定された前記配信者別設定情報（ＨＳｎ）を、前記端末メモリ（４８）に保存し、前記データベースサーバ（６０）に返信する表示設定部（４３）と、
前記告知配信サーバ（８１ａ）から配信される前記配信データ（ＨＤｎ）を受信し、
前記端末メモリ（４８）に前記配信データ（ＨＤｎ）に含まれる前記配信者名称を付したフォルダ（Ｆｎ）が既に作成されている場合は、前記配信データ（ＨＤｎ）に未読フラグ「１」を追加して当該フォルダ（Ｆｎ）に保存し、
作成されていない場合は、新たに前記配信者名称を付したフォルダ（Ｆｎ）を作成して保存する配信情報受信部（４４）と、
前記端末メモリ（４８）に作成された前記フォルダ（Ｆｎ）に対応した前記配信者名称を付したタブ（ＴＧｎ）を生成し、当該タブ（ＴＧｎ）のエリアに、当該フォルダ（Ｆｎ）に保存された前記配信データ（ＨＤｎ）のタイトルを、前記配信データ（ＨＤｎ）に含まれる告知表示色に従って一覧表示するタイトル表示部（４５）を含む
ことを特徴とする告知配信システム。
【請求項２】
前記配信用クラウド（１０）は、
前記データベースサーバ（６０）に接続されたストレージサーバ（６１）と、前記データベースサーバ（６０）と前記配信管理サーバ（７０）に接続された低容量コンテンツ配信サーバ（６２ａ、６２ｂ）と、前記ストレージサーバ（６１）と前記配信管理サーバ（７０）に接続された大容量コンテンツ配信サーバ（６３ａ、６３ｂ）をさらに備え、
前記データベースサーバ（６０）は、
前記配信者端末（３０ａ、３０ｂ）から入力される前記告知情報（Ｍｎ）に含まれる前記告知基本情報（ＭＫｎ）と詳細情報のうち、前記告知ＩＤが付与された前記告知基本情報（ＭＫｎ）を前記サーバメモリ（２０４）に保存し、前記詳細情報（ＭＳｎ）のコンテンツ種別を判定し、低容量であれば、前記告知ＩＤが付与された前記詳細情報（ＭＳｎ）を前記サーバメモリ（２０４）に保存し、大容量であれば、前記告知ＩＤが付与された前記詳細情報（ＭＳｎ）を前記ストレージサーバ（６１）に送信する告知情報登録部（１０４）と
前記視聴者端末（４０ｎ）からの詳細情報要求を、前記配信管理サーバ（７０）と前記低容量コンテンツ配信サーバ（６２ａ、６２ｂ）を経由して受信し、前記詳細情報要求に含まれる前記告知ＩＤで、前記サーバメモリ（２０４）の前記詳細情報（ＭＳｎ）を検索して読み出し、前記低容量コンテンツ配信サーバ（６２ａ、６２ｂ）に送信するテキスト送信部（１１１）とを含み、
前記ストレージサーバ（６１）は、
前記告知ＩＤが付与された前記詳細情報ＭＳｎを保存するストレージ（３０１）と、
前記データベースサーバ（６０）から受信した前記詳細情報（ＭＳｎ）を前記ストレージ（３０１）に保存する動画登録部（１１２）と、
前記視聴者端末（４０ｎ）からの前記詳細情報要求を、前記配信管理サーバ（７０）と前記大容量コンテンツ配信サーバ（６３ａ、６３ｂ）を経由して受信し、前記詳細情報要求に含まれる前記告知ＩＤで、前記ストレージ（３０１）の前記詳細情報（ＭＳｎ）を検索して読み出し、前記大容量コンテンツ配信サーバ（６３ａ、６３ｂ）に送信する動画送信部（１１３）とを含み、
前記低容量コンテンツ配信サーバ（６２ａ、６２ｂ）と前記大容量コンテンツ配信サーバ（６３ａ、６３ｂ）は、
受信した前記詳細情報（ＭＳｎ）を、前記詳細情報要求に含まれる前記視聴者端末（４０ｎ）のアドレスによって、前記視聴者端末（４０ｎ）に配信する手段を含み、
前記視聴者端末（４０ｎ）は、
タイトルの前記告知ＩＤと前記配信者ＩＤから、対応する前記フォルダ（Ｆｎ）に保存された前記配信データ（ＨＤｎ）を検出し、当該配信データ（ＨＤｎ）に含まれる前記コンテンツ種別、前記告知ＩＤおよび前記配信先視聴者ＩＤ、並びに前記視聴者端末（４０ｎ）のアドレスを含めた前記詳細情報要求を、前記配信管理サーバ（７０）に送信し、前記低容量コンテンツ配信サーバ（６２ａ）または前記大容量コンテンツ配信サーバ（６３ａ）から返信される前記詳細情報（ＭＳｎ）を受信して、表示・再生するコンテンツ取得部（４７）をさらに含む
ことを特徴とする請求項１に記載の告知配信システム。
【請求項３】
前記データベースサーバは、ログ更新部（１０７）をさらに含み、
前記タイトル配信部（１０６）は、前記配信管理サーバ（７０）に初めて送信する前記配信データ（ＨＤｎ）について、当該配信データ（ＨＤｎ）に含まれる前記告知ＩＤ、前記配信者ＩＤおよび前記配信先視聴者ＩＤと、配信状況欄に「配信中」と設定したログデータ（Ｇｎ）を作成し、前記サーバメモリ（２０４）のログリスト（ＧＴ）に保存し、
前記ログ更新部（１０７）は、
前記配信管理サーバ（７０）から、前記告知ＩＤと前記配信先視聴者ＩＤとともに配信状態情報を通知されると、前記告知ＩＤと前記配信先視聴者ＩＤで、前記サーバメモリ（２０４）の前記ログリスト（ＧＴ）から、該当のログデータ（Ｇｎ）を検出し、前記配信状態情報のデータにより、前記ログデータ（Ｇｎ）を更新する
ことを特徴とする請求項１または２に記載の告知配信システム。
【請求項４】
前記データベースサーバ（６０）は、配信者登録部（１０１）をさらに含み、
前記配信者登録部（１０１）は、前記管理者端末（２０）から入力される配信者情報を、配信者を識別するための前記配信者ＩＤを付与した前記配信者登録情報（Ｈｎ）として、前記配信者情報データベース（２０１）に保存し、前記配信者登録情報（Ｈｎ）と前記配信者ＩＤで関連付けた前記配信者別配信先リスト（ＬＨｎ）のエリアを、前記配信者情報データベース（２０１）に設定する
ことを特徴とする請求項１ないし３のいずれか１項に記載の告知配信システム。
【請求項５】
前記データベースサーバ（６０）は、視聴者登録部（１０８）をさらに含み、
前記視聴者登録部（１０８）は、前記視聴者端末（４０ｎ）から入力される視聴者情報を、視聴者を識別するための前記視聴者ＩＤを付与した前記視聴者登録情報（Ｃｎ）として、前記視聴者情報データベース（２０２）に保存し、前記視聴者登録情報（Ｃｎ）と前記視聴者ＩＤで関連付けた前記配信者選択リスト（ＬＣｎ）のエリアを、前記視聴者情報データベース（２０２）に設定する
ことを特徴とする請求項１ないし４のいずれか１項に記載の告知配信システム。
【請求項６】
前記表示設定部（４３）は、前記配信者選択フォーマットに、告知表示色選択がさらに設定された前記配信者別設定情報（ＨＳｎ）を前記データベースサーバ（６０）に返信し、
前記配信者設定部（１１０）は、前記視聴者端末（４０ｎ）で前記配信者別設定情報（ＨＳｎ）に設定された前記告知表示色選択を、前記配信者別配信先リスト（ＬＨｎ）に設定し、
前記配信データ抽出部（１０５）は、前記配信者別配信先リスト（ＬＨｎ）に含まれる前記告知表示色選択に指定色値が設定されている場合、前記サーバメモリ（２０４）の前記配信リスト（ＤＴ）に保存された前記配信データ（ＨＤｎ）に含まれる前記告知表示色を前記指定色値に書き換える
ことを特徴とする請求項１ないし５のいずれか１項に記載の告知配信システム。
【請求項７】
前記告知基本情報（ＭＫｎ）は、告知種別と表示枠種別をさらに含み、
前記表示設定部（４３）は、前記配信者選択フォーマットに、前記告知種別ごとの表示枠選択種別がさらに設定された前記配信者別設定情報（ＨＳｎ）を前記データベースサーバ（６０）に返信し、
前記配信者設定部（１１０）は、前記視聴者端末（４０ｎ）で前記配信者別設定情報（ＨＳｎ）に設定された前記告知種別ごとの前記表示枠選択種別を、前記配信者別配信先リスト（ＬＨｎ）に設定し、
前記配信データ抽出部（１０５）は、前記サーバメモリ（２０４）の前記配信リスト（ＤＴ）に保存された前記配信データ（ＨＤｎ）に含まれる前記告知基本情報（ＭＫｎ）に設定された前記告知種別に対し、前記配信者別配信先リスト（ＬＨｎ）に含まれる前記表示枠選択種別に表示枠データが設定されている場合、当該配信データ（ＨＤｎ）に含まれる前記表示枠種別を前記表示枠選択種別に設定された前記表示枠データに書き換え、
前記タイトル表示部（４５）は、前記配信データ（ＨＤｎ）に含まれるタイトルを、当該配信データ（ＨＤｎ）に含まれる前記表示枠種別に設定された前記表示枠データの飾り枠で表示する
ことを特徴とする請求項１ないし６のいずれか１項に記載の告知配信システム。
【請求項８】
管理者端末（２０）、配信者端末（３０ａ、３０ｂ）、および視聴者端末（４０ｎ）に、インターネット網Ｎを介して接続された配信用クラウド（１０）による告知配信システムであって、
前記配信用クラウド（１０）は、
データベースサーバ（６０）、前記データベースサーバ（６０）に接続された配信管理サーバ（７０）、および前記配信管理サーバ（７０）に接続された告知配信サーバ（８１ａ、８１ｂ）で構成され、
前記データベースサーバ（６０）は、
配信者ＩＤが付与された配信者登録情報Ｈｎ、および前記配信者ＩＤで関連付けられた配信者別配信先リスト（ＬＨｎ）が保存される配信者情報データベース（２０１）と、
視聴者ＩＤが付与された視聴者登録情報Ｃｎ、および前記視聴者ＩＤで関連付けられた配信者選択リスト（ＬＣｎ）が保存される視聴者情報データベース（２０２）と、
告知ＩＤが付与された告知情報Ｍｎに含まれる告知基本情報（ＭＫｎ）が登録されるサーバメモリ（２０４）と、
前記配信者登録情報（Ｈｎ）に登録された全ての配信者ＩＤと配信者名称を設定した配信者選択フォーマットを前記視聴者端末（４０ｎ）に送信し、
前記視聴者端末（４０ｎ）から返信された前記配信者選択フォーマットに配信選択および配信期間が設定された配信者別設定情報（ＨＳｎ）を、前記視聴者情報データベース（２０２）の前記配信者選択リスト（ＬＣｎ）に保存し、
前記配信選択で配信希望と選択された前記配信者ＩＤに対応する前記配信者別配信先リスト（ＬＨｎ）に、前記配信者選択リスト（ＬＣｎ）に設定された前記視聴者ＩＤを配信先視聴者ＩＤとして追加し、さらに前記配信期間を設定する配信者設定部（１１０）と、
一定時間ごとに、前記告知基本情報ＭＫｎに含まれる前記配信者ＩＤに対応する前記配信者別配信先リスト（ＬＨｎ）から、前記配信先視聴者ＩＤと前記配信期間を読み出し、前記配信期間内であれば、前記配信先視聴者ＩＤに前記告知基本情報（ＭＫｎ）を追加して配信データ（ＨＤｎ）を作成し、前記サーバメモリ（２０４）の配信リスト（ＤＴ）に保存する配信データ抽出部（１０５）と、
一定時間ごとに、前記配信リスト（ＤＴ）に保存された前記配信データ（ＨＤｎ）を読み出し、前記配信管理サーバ（７０）に送信するタイトル配信部（１０６）と、
前記サーバメモリ（２０４）に保存された、前記告知情報（Ｍｎ）の配信を受信するためのプログラムを、前記視聴者端末（４０ｎ）に提供するプログラム提供部（図示なし）とを含み、
前記配信管理サーバ（７０）は、
前記データベースサーバ（６０）から送信される前記配信データ（ＨＤｎ）を、前記配信データ（ＨＤｎ）に含まれる前記配信先視聴者ＩＤに割り当てられた前記告知配信サーバ（８１ａ、８１ｂ）に転送する手段を含み、
前記告知配信サーバ（８１ａ、８１ｂ）は、
前記配信管理サーバ（７０）から送信される前記配信データ（ＨＤｎ）を、前記配信データ（ＨＤｎ）に含まれる前記配信先視聴者ＩＤの前記視聴者端末（４０ｎ）に配信する手段を含み、
前記プログラムは、
前記視聴者端末（４０ｎ）のＣＰＵに、
前記データベースサーバ（６０）から受信する前記配信者選択フォーマットに、前記配信選択および前記配信期間が設定された前記配信者別設定情報（ＨＳｎ）を、前記視聴者端末（４０ｎ）に実装された端末メモリ（４８）に保存し、前記データベースサーバ（６０）に返信する表示設定部（４３）と、
前記告知配信サーバ（８１ａ）から配信される前記配信データ（ＨＤｎ）を受信し、
前記端末メモリ（４８）に前記配信データ（ＨＤｎ）に含まれる前記配信者名称を付したフォルダ（Ｆｎ）が既に作成されている場合は、前記配信データ（ＨＤｎ）に未読フラグ「１」を追加して当該フォルダ（Ｆｎ）に保存し、
作成されていない場合は、新たに前記配信者名称を付したフォルダ（Ｆｎ）を作成して保存する配信情報受信部（４４）と、
前記端末メモリ（４８）に作成された前記フォルダ（Ｆｎ）に対応した前記配信者名称を付したタグ（ＴＧｎ）を生成し、当該タグ（ＴＧｎ）のエリアに、当該フォルダ（Ｆｎ）に保存された前記配信データ（ＨＤｎ）のタイトルを、前記配信データ（ＨＤｎ）に含まれる告知表示色に従って一覧表示するタイトル表示部（４５）
としての機能を実行させることを特徴とする告知配信システム。
【請求項９】
前記配信用クラウド（１０）は、
前記データベースサーバ（６０）に接続されたストレージサーバ（６１）と、前記データベースサーバ（６０）と前記配信管理サーバ（７０）に接続された低容量コンテンツ配信サーバ（６２ａ、６２ｂ）と、前記ストレージサーバ（６１）と前記配信管理サーバ（７０）に接続された大容量コンテンツ配信サーバ（６３ａ、６３ｂ）をさらに備え、
前記データベースサーバ（６０）は、
前記配信者端末（３０ａ、３０ｂ）から入力される前記告知情報（Ｍｎ）に含まれる前記告知基本情報（ＭＫｎ）と詳細情報のうち、前記告知ＩＤが付与された前記告知基本情報（ＭＫｎ）を前記サーバメモリ（２０４）に保存し、前記詳細情報（ＭＳｎ）のコンテンツ種別を判定し、低容量であれば、前記告知ＩＤが付与された前記詳細情報（ＭＳｎ）を前記サーバメモリ（２０４）に保存し、大容量であれば、前記告知ＩＤが付与された前記詳細情報（ＭＳｎ）を前記ストレージサーバ（６１）に送信する告知情報登録部（１０４）と
前記視聴者端末（４０ｎ）からの詳細情報要求を、前記配信管理サーバ（７０）と前記低容量コンテンツ配信サーバ（６２ａ、６２ｂ）を経由して受信し、前記詳細情報要求に含まれる前記告知ＩＤで、前記サーバメモリ（２０４）の前記詳細情報（ＭＳｎ）を検索して読み出し、前記低容量コンテンツ配信サーバ（６２ａ、６２ｂ）に送信するテキスト送信部（１１１）とを含み、
前記ストレージサーバ（６１）は、
前記告知ＩＤが付与された前記詳細情報ＭＳｎを保存するストレージ（３０１）と、
前記データベースサーバ（６０）から受信した前記詳細情報（ＭＳｎ）を前記ストレージ（３０１）に保存する動画登録部（１１２）と、
前記視聴者端末（４０ｎ）からの前記詳細情報要求を、前記配信管理サーバ（７０）と前記大容量コンテンツ配信サーバ（６３ａ、６３ｂ）を経由して受信し、前記詳細情報要求に含まれる前記告知ＩＤで、前記ストレージ（３０１）の前記詳細情報（ＭＳｎ）を検索して読み出し、前記大容量コンテンツ配信サーバ（６３ａ、６３ｂ）に送信する動画送信部（１１３）とを含み、
前記低容量コンテンツ配信サーバ（６２ａ、６２ｂ）と前記大容量コンテンツ配信サーバ（６３ａ、６３ｂ）は、
受信した前記詳細情報（ＭＳｎ）を、前記詳細情報要求に含まれる前記視聴者端末（４０ｎ）のアドレスによって、前記視聴者端末（４０ｎ）に配信する手段を含み、
前記プログラムは、
前記視聴者端末（４０ｎ）のＣＰＵに、
タイトルの前記告知ＩＤと前記配信者ＩＤから、対応する前記フォルダＦｎに保存された前記配信データ（ＨＤｎ）を検出し、当該配信データ（ＨＤｎ）に含まれる前記コンテンツ種別、前記告知ＩＤおよび前記配信先視聴者ＩＤ、並びに前記視聴者端末（４０ｎ）のアドレスを含めた前記詳細情報要求を、前記配信管理サーバ（７０）に送信し、前記低容量コンテンツサーバ（６２ａ）または前記大容量コンテンツサーバ（６３ａ）から返信される前記詳細情報（ＭＳｎ）を受信して、表示・再生するコンテンツ取得部（４７）としての機能を実行させる
ことを特徴とする請求項８に記載の告知配信システム。
【請求項１０】
前記データベースサーバは、ログ更新部（１０７）をさらに含み、
前記タイトル配信部（１０６）は、前記配信管理サーバ（７０）に初めて送信する前記配信データ（ＨＤｎ）について、当該配信データ（ＨＤｎ）に含まれる前記告知ＩＤ、前記配信者ＩＤおよび前記配信先視聴者ＩＤと、配信状況欄に「配信中」と設定したログデータ（Ｇｎ）を作成し、前記サーバメモリ（２０４）のログリスト（ＧＴ）に保存し、
前記ログ更新部（１０７）は、
前記配信管理サーバ（７０）から、前記告知ＩＤと前記配信先視聴者ＩＤとともに配信状態情報を通知されると、前記告知ＩＤと前記配信先視聴者ＩＤで、前記サーバメモリ（２０４）の前記ログリスト（ＧＴ）から、該当のログデータ（Ｇｎ）を検出し、前記配信状態情報のデータにより、前記ログデータ（Ｇｎ）を更新する
ことを特徴とする請求項８または９に記載の告知配信システム。
【請求項１１】
前記データベースサーバ（６０）は、配信者登録部（１０１）をさらに含み、
前記配信者登録部（１０１）は、前記管理者端末（２０）から入力される配信者情報を、配信者を識別するための前記配信者ＩＤを付与した前記配信者登録情報（Ｈｎ）として、前記配信者情報データベース（２０１）に保存し、前記配信者登録情報（Ｈｎ）と前記配信者ＩＤで関連付けた前記配信者別配信先リスト（ＬＨｎ）のエリアを、前記配信者情報データベース（２０１）に設定する
ことを特徴とする請求項８ないし１０のいずれか１項に記載の告知配信システム。
【請求項１２】
前記データベースサーバ（６０）は、視聴者登録部（１０８）をさらに含み、
前記視聴者登録部（１０８）は、前記視聴者端末（４０ｎ）から入力される視聴者情報を、視聴者を識別するための前記視聴者ＩＤを付与した前記視聴者登録情報（Ｃｎ）として、前記視聴者情報データベース（２０２）に保存し、前記視聴者登録情報（Ｃｎ）と前記視聴者ＩＤで関連付けた前記配信者選択リスト（ＬＣｎ）のエリアを、前記視聴者情報データベース（２０２）に設定する
ことを特徴とする請求項８ないし１１のいずれか１項に記載の告知配信システム。
【請求項１３】
前記プログラムは、前記視聴者端末（４０ｎ）のＣＰＵに、前記表示設定部（４３）により、前記配信者選択フォーマットに、告知表示色選択がさらに設定された前記配信者別設定情報（ＨＳｎ）を前記データベースサーバ（６０）に返信させる機能を実行させ、
前記配信者設定部（１１０）は、前記視聴者端末（４０ｎ）から受信する前記配信者別設定情報（ＨＳｎ）に設定された前記告知表示色選択を、前記配信者別配信先リスト（ＬＨｎ）に設定し、
前記配信データ抽出部（１０５）は、前記配信者別配信先リスト（ＬＨｎ）に含まれる前記告知表示色選択に指定色値が設定されている場合、前記サーバメモリ（２０４）の前記配信リスト（ＤＴ）に保存された前記配信データ（ＨＤｎ）に含まれる前記告知表示色を前記指定色値に書き換える
ことを特徴とする請求項８ないし１２のいずれか１項に記載の告知配信システム。
【請求項１４】
前記告知基本情報（ＭＫｎ）は、告知種別と表示枠種別をさらに含み、
前記プログラムは、前記視聴者端末（４０ｎ）のＣＰＵに、
前記表示設定部（４３）により、前記配信者選択フォーマットに、前記告知種別ごとの表示枠選択種別がさらに設定された前記配信者別設定情報（ＨＳｎ）を前記データベースサーバ（６０）に返信させ、
前記タイトル表示部（４５）により、前記配信データ（ＨＤｎ）に含まれるタイトルを、当該配信データ（ＨＤｎ）に含まれる前記表示枠種別に設定された表示枠データの飾り枠で表示させる機能を実行させ、
前記配信者設定部（１１０）は、前記視聴者端末（４０ｎ）で前記配信者別設定情報（ＨＳｎ）に設定された前記告知種別ごとの前記表示枠選択種別を、前記配信者別配信先リストＬＨｎに設定し、
前記配信データ抽出部（１０５）は、前記サーバメモリ（２０４）の前記配信リスト（ＤＴ）に保存された前記配信データ（ＨＤｎ）に含まれる前記告知基本情報（ＭＫｎ）に設定された前記告知種別に対し、前記配信者別配信先リスト（ＬＨｎ）に含まれる前記表示枠選択種別に表示枠データが設定されている場合、当該配信データ（ＨＤｎ）に含まれる前記表示枠種別を前記表示枠選択種別に設定された前記表示枠データに書き換える
ことを特徴とする請求項８ないし１３のいずれか１項に記載の告知配信システム。
【発明の詳細な説明】
【技術分野】
【０００１】
本発明は、複数の情報提供者を一か所で管理して、視聴者に情報提供者の選択および情報配信期間や表示色の設定を行なわせ、インターネット網に接続された視聴者の端末に対して、情報提供者が提供する情報をプッシュ型方式で配信されるタイトルとプル型方式で配信されるコンテンツに分けて管理・配信する告知配信システムに関する。
【背景技術】
【０００２】
情報の伝達をインターネット網を介して双方向通信するサービスはさまざま存在している。この双方向通信によって情報提供を行う情報配信方法には、情報入手者側の視聴者が主導権を得て、情報が必要になったときに視聴者が情報提供者側のサーバにアクセスすることで、目的とする情報を得るプル型方式と、逆に情報提供者側が主導権を得て、情報入手者である視聴者が要求する情報を、視聴者の端末に定期的に自動送信して提供するプッシュ型方式がある。
【０００３】
プル型方式は、たとえば、自治体、企業、大学等が、ｗｗｗサーバ、データベースサーバ等によって構築して開設したホームページに情報公開し、視聴者に必要なときにこのホームページにアクセスさせて、目的とする情報を提供する。
【０００４】
一方、プッシュ型方式は、情報入手者側の視聴者に操作を全く要求することなく情報を配信することができるため、たとえば、イベント情報、広告情報、株価情報、または避難情報などを、情報提供者側の提供タイミングで配信可能である。
【０００５】
プッシュ型方式に関する技術として特許文献１、２に記載されたものがある。特許文献１では、受信契約者の位置と時刻とに応じて、情報提供のタイミングと提供する情報の内容を決定して、受信契約者に情報をプッシュ型配信で提供する技術が記載されている。
【０００６】
また、特許文献２では、視聴者が携行する携帯電話が、特定エリアに在圏していることが検出されたときに、携帯電話に対して、動画コンテンツサーバから特定エリアに関する動画情報をプッシュ型で配信する技術が記載されている。
【先行技術文献】
【特許文献】
【０００７】
【特許文献１】特開２００２−２７８８８６号公報
【特許文献２】特許第４０７３８１９号公報
【発明の概要】
【発明が解決しようとする課題】
【０００８】
プッシュ型方式の配信方法では、視聴者は、目的に関連した情報を検索し、該当ホームページにアクセスするなどの操作を行なうことなしに情報を自動受信できるので、利便性がよいが、あらかじめ各情報配信サイトに登録する必要がある。
【０００９】
しかし、こうした情報配信サイトは、企業ごとに開設されていることが多く、視聴者にとっては情報配信サイトを検索して、逐一登録する煩わしさがある。
【００１０】
また、自治体などは、特定地区に関する重要な情報を公開しているが、ほとんどがプル型方式の配信方法のみであり、効果的に視聴者に情報が提供できていない。
【００１１】
そこで、複数存在する情報提供者を一か所で管理して、視聴者はその管理元に登録し、情報を配信してほしい情報提供者を選択しておけば、これらの情報提供者の情報がプッシュ型方式で自動配信されるサービスが望まれる。
【００１２】
また、特許文献１、２に記載されているように、特定地区に関する情報は、視聴者の携帯端末の位置情報により、その地区に視聴者が在圏していることを検出したときに配信されることが多い。
【００１３】
つまり、特定地区に関する情報は、視聴者が現地まで行かなければ配信されないことになる。
【００１４】
しかし、観光情報やイベント情報などの特定地区の情報は、視聴者が現地に到着する前から配信されることで、旅行計画やスケジュール立案に有効に利用されるものであるから、視聴者の携帯端末の位置情報により、視聴者が在圏していることを検出して提供タイミングを決定する方法は効果的ではない。
【００１５】
将来の移住や旅行を検討する視聴者にとっては、複数の候補地に関する情報を常時収集できる方が好ましい。
【００１６】
そこで、視聴者によって情報配信期間を設定することを可能とし、設定した情報配信期間内は、視聴者の所在地に関係なく特定地区に関する情報が、常時プッシュ型方式で配信されるサービスが望まれる。
【００１７】
一方、特許文献２に記載されているように、動画情報などのコンテンツをプッシュ型方式で配信する技術では、配信されたコンテンツを視聴者の携帯端末に保存する。
【００１８】
しかし、携帯端末のメモリ消費や、データ通信料金の課金などから、少なくとも動画情報などの大容量コンテンツを、情報提供者の提供タイミングで次々とプッシュ型方式で配信されることは、視聴者にとっては好ましくない。
【００１９】
そこで、情報提供者が提供する情報を、配信情報の内容を示すタイトルとコンテンツに分け、タイトルのみがプッシュ型方式で配信され、具体的なコンテンツは、視聴者が必要と判断したもののみがプル型方式で配信されるサービスが望まれる。
【００２０】
以上の課題を解決するために、本発明は、複数の情報提供者を一か所で管理して、視聴者に情報提供者の選択および情報配信期間や表示色の設定を行なわせ、情報提供者が提供する情報をプッシュ型方式で配信されるタイトルとプル型方式で配信されるコンテンツに分けて管理・配信する告知配信システムを得ることを目的とする。
【課題を解決するための手段】
【００２１】
本発明の告知配信システムは、配信用クラウド（１０）と、当該配信用クラウド（１０）とインターネット網Ｎを介して接続された管理者端末（２０）、配信者端末（３０ａ、３０ｂ）、および視聴者端末（４０ｎ）で構成される告知配信システムであって、
前記配信用クラウド（１０）は、
データベースサーバ（６０）、前記データベースサーバ（６０）に接続された配信管理サーバ（７０）、および前記配信管理サーバ（７０）に接続された告知配信サーバ（８１ａ、８１ｂ）で構成され、
前記データベースサーバ（６０）は、
配信者ＩＤが付与された配信者登録情報（Ｈｎ）、および前記配信者ＩＤで関連付けられた配信者別配信先リスト（ＬＨｎ）が保存される配信者情報データベース（２０１）と、
視聴者ＩＤが付与された視聴者登録情報（Ｃｎ）、および前記視聴者ＩＤで関連付けられた配信者選択リスト（ＬＣｎ）が保存される視聴者情報データベース（２０２）と、
告知ＩＤが付与された告知情報Ｍｎに含まれる告知基本情報（ＭＫｎ）が登録されるサーバメモリ（２０４）と、
前記配信者登録情報（Ｈｎ）に登録された全ての前記配信者ＩＤと配信者名称を設定した配信者選択フォーマットを前記視聴者端末（４０ｎ）に送信し、
前記視聴者端末（４０ｎ）から返信された前記配信者選択フォーマットに配信選択および配信期間が設定された配信者別設定情報（ＨＳｎ）を、前記視聴者情報データベース（２０２）の前記配信者選択リスト（ＬＣｎ）に保存し、
前記配信選択で配信希望と選択された前記配信者ＩＤに対応する前記配信者別配信先リスト（ＬＨｎ）に、前記配信者選択リスト（ＬＣｎ）に設定された前記視聴者ＩＤを配信先視聴者ＩＤとして追加し、さらに前記配信期間を設定する配信者設定部（１１０）と、
一定時間ごとに、前記告知基本情報ＭＫｎに含まれる前記配信者ＩＤに対応する前記配信者別配信先リスト（ＬＨｎ）から、前記配信先視聴者ＩＤと前記配信期間を読み出し、前記配信期間内であれば、前記配信先視聴者ＩＤに前記告知基本情報ＭＫｎを追加して配信データ（ＨＤｎ）を作成し、前記サーバメモリ（２０４）の配信リスト（ＤＴ）に保存する配信データ抽出部（１０５）と、
一定時間ごとに、前記配信リスト（ＤＴ）に保存された前記配信データ（ＨＤｎ）を読み出し、前記配信管理サーバ（７０）に送信するタイトル配信部（１０６）を含み、
前記配信管理サーバ（７０）は、
前記データベースサーバ（６０）から送信される前記配信データ（ＨＤｎ）を、前記配信データ（ＨＤｎ）に含まれる前記配信先視聴者ＩＤに割り当てられた前記告知配信サーバ（８１ａ、８１ｂ）に転送する手段を含み、
前記告知配信サーバ（８１ａ、８１ｂ）は、
前記配信管理サーバ（７０）から送信される前記配信データ（ＨＤｎ）を、前記配信データ（ＨＤｎ）に含まれる前記配信先視聴者ＩＤの前記視聴者端末（４０ｎ）に配信する手段を含み、
前記視聴者端末（４０ｎ）は、
端末メモリ（４８）と、
前記データベースサーバ（６０）から受信する前記配信者選択フォーマットに、前記配信選択および前記配信期間が設定された前記配信者別設定情報（ＨＳｎ）を、前記端末メモリ（４８）に保存し、前記データベースサーバ（６０）に返信する表示設定部（４３）と、
前記告知配信サーバ（８１ａ）から配信される前記配信データ（ＨＤｎ）を受信し、
前記端末メモリ（４８）に前記配信データ（ＨＤｎ）に含まれる前記配信者名称を付したフォルダ（Ｆｎ）が既に作成されている場合は、前記配信データ（ＨＤｎ）に未読フラグ「１」を追加して当該フォルダ（Ｆｎ）に保存し、
作成されていない場合は、新たに前記配信者名称を付したフォルダ（Ｆｎ）を作成して保存する配信情報受信部（４４）と、
前記端末メモリ（４８）に作成された前記フォルダ（Ｆｎ）に対応した前記配信者名称を付したタブ（ＴＧｎ）を生成し、当該タブ（ＴＧｎ）のエリアに、当該フォルダ（Ｆｎ）に保存された前記配信データ（ＨＤｎ）のタイトルを、前記配信データ（ＨＤｎ）に含まれる告知表示色に従って一覧表示するタイトル表示部（４５）を含むことを要旨とする。
【発明の効果】
【００２２】
本発明の告知配信システムは、複数の情報提供者を一か所で管理して、視聴者に情報提供者の選択および情報配信期間や表示色の設定を行なわせ、情報提供者が提供する情報をプッシュ型方式で配信されるタイトルとプル型方式で配信されるコンテンツに分けて管理・配信することができる。
【図面の簡単な説明】
【００２３】
【図１】本発明の告知配信システムの情報登録とプッシュ方式配信に係る構成図
【図２】本発明の告知配信システムのプル方式配信に係る構成図
【図３】配信者情報データベースのデータ構成図
【図４】視聴者情報データベースのデータ構成図
【図５】配信者情報データベースと視聴者情報データベースのデータ関連図
【図６】告知情報のデータ構成図
【図７】配信リストのデータ構成図
【図８】ログリストのデータ構成図
【図９】視聴者別配信サーバリストのデータ構成図
【図１０】セッション別配信サーバリストのデータ構成図
【図１１】視聴者端末の構成図
【図１２】配信者情報登録工程のシーケンス図
【図１３】告知情報登録工程のシーケンス図
【図１４】告知情報登録工程のシーケンス図
【図１５】視聴者端末の情報設定画面イメージ図
【図１６】視聴者端末の告知情報表示画面イメージ図
【図１７】視聴者情報登録工程（視聴者情報登録）のシーケンス図
【図１８】視聴者情報登録工程（ログイン）のシーケンス図
【図１９】視聴者情報登録工程（セッション確立）のシーケンス図
【図２０】配信者選択および表示条件設定工程のシーケンス図
【図２１】告知基本情報抽出工程およびプッシュ方式告知基本情報配信工程のシーケンス図
【図２２】告知基本情報抽出工程およびプッシュ方式告知基本情報配信工程のシーケンス図
【図２３】プル方式詳細情報配信工程の低容量の場合のシーケンス図
【図２４】プル方式詳細情報配信工程の低容量の場合のシーケンス図
【図２５】配信者設定部のフローチャート
【図２６】配信データ抽出部のフローチャート
【図２７】タイトル配信部のフローチャート
【図２８】配信情報受信部のフローチャート
【図２９】タイトル表示部のフローチャート
【図３０】タイトル削除部のフローチャート
【図３１】コンテンツ取得部のフローチャート
【図３２】ログ更新部のフローチャート
【図３３】第２の実施の形態における配信者選択リストのデータ構成図
【図３４】第２の実施の形態における配信者別配信先リストのデータ構成図
【図３５】第２の実施の形態における視聴者端末の画面イメージ図
【図３６】第２の実施の形態における配信者設定部のフローチャート
【図３７】第２の実施の形態における配信データ抽出部のフローチャート
【図３８】第２の実施の形態における視聴者端末のタイトル表示画面イメージ図
【図３９】その他の実施の形態における視聴者端末のタイトル表示画面イメージ図
【発明を実施するための形態】
【００２４】
本発明の告知配信システムは、図１に例示するように、複数のサーバによって構築された配信用クラウド１０と、当該配信用クラウド１０とインターネット網Ｎを介して接続された管理者端末２０、配信者端末３０ａ、３０ｂ、および視聴者端末４０ｎで構成される。
【００２５】
本発明の告知配信システムは、自治体、企業、告知サービス業者、スポーツイベント、デパート、スーパー等、情報の配信を実施する者（以下、総称して配信者という）に、配信者端末３０ａ、３０ｂから配信用クラウド１０に告知情報Ｍｎを登録させ、登録された告知情報Ｍｎのうち告知基本情報ＭＫｎを、配信用クラウド１０から視聴者の視聴者端末４０ｎにプッシュ方式で配信し、告知情報Ｍｎの詳細情報ＭＳｎは、配信用クラウド１０から視聴者の視聴者端末４０ｎによってプル方式で取得させる。
【００２６】
以下に説明する本発明の実施の形態では、配信者の例として、自治体などある地区（たとえば島根県松江市、東京都千代田区、・・）を管轄し、主にその地区に関連する情報を提供する者をあげ、視聴者は全国に居住している者としている。
【００２７】
視聴者が所有する視聴者端末４０ｎは、スマートホーン、タブレット、パソコン、インターネットインタフェース付きテレビジョン等、インターネットによるデータ通信が可能な端末であれば、どのようなものでも構わないが、以下の説明では、スマートホーンやタブレットなどの携帯端末を例としている。
【００２８】
なお、本発明の実施の形態では、それぞれ複数存在するサーバやデータがあり、このようなサーバやデータには、符号に「ｎ」を付している。説明中で符号「ｎ」と記述している場合、ａ、ｂ、ｃ、・・・や１、２、３、・・・のいずれであってもよく、「ｎ」に特定するものではない。
【００２９】
複数存在するサーバやデータのうち、明確に区別可能な場合には、符号にａ、ｂ、ｃを付して識別している。
【００３０】
＜本発明の第１の実施の形態＞
本発明の第１の実施の形態における告知配信システムでは、図１に示すように、管理者端末２０と、Ａ地区の配信者の配信者端末３０ａと、Ｂ地区の配信者の配信者端末３０ｂと、視聴者端末４０ｎが、インターネット網Ｎを介して配信用クラウド１０に接続している。
【００３１】
実際には、配信用クラウド１０には、複数の配信者と複数の視聴者が接続可能である。
【００３２】
（本発明の第１の実施の形態における配信用クラウド１０の構成）
本発明の第１の実施の形態における配信用クラウド１０の構成については、図1に、各種データの登録に関連する手段とプッシュ方式配信に関連する手段を示し、図２に、プル方式配信に関連する手段を示している。
【００３３】
実際には、配信用クラウド１０には、複数の配信者と複数の視聴者が接続可能である。
【００３４】
図１と図２に示すように、配信用クラウド１０は、システム管理サーバ５０と、データベースサーバ６０と、ストレージサーバ６１と、低容量コンテンツ配信サーバ６２ａ、６２ｂと、大容量コンテンツ配信サーバ６３ａ、６３ｂと、配信管理サーバ７０と、セッション確立サーバ８０と、告知配信サーバ８１ａ、８１ｂによって構築される。
【００３５】
システム管理者は、管理者端末２０から、インターネット網Ｎを介してシステム管理サーバ５０にアクセスし、データベースサーバ６０に保存された配信者のデータや視聴者のデータを操作したり、システム構築に関する構成管理データ（図示せず）などを設定したりする。
【００３６】
Ａ地区の配信者とＢ地区の配信者は、それぞれ配信者端末３０ａと配信者端末３０ｂから、インターネット網Ｎを介してシステム管理サーバ５０にアクセスし、データベースサーバ６０に、それぞれ告知基本情報ＭＫ１と詳細情報ＭＳ１を含む告知情報Ｍ１と、告知基本情報ＭＫ２と詳細情報ＭＳ２を含む告知情報Ｍ２に登録する。
【００３７】
視聴者は、視聴者端末４０ｎから、インターネット網Ｎを介して配信管理サーバ７０にアクセスしてセッションを確立させておくことで、複数の告知配信サーバ８１ａ、８１ｂ、・・・のいずれかから、告知情報Ｍｎの告知基本情報ＭＫｎがプッシュ方式で視聴者端末４０ｎに配信される。
【００３８】
また、視聴者は、視聴者端末４０ｎに表示された告知基本情報ＭＫｎをタップすることで、インターネット網Ｎを介して配信管理サーバ７０にアクセスし、所望の告知情報Ｍｎの詳細情報ＭＳｎを、複数の低容量コンテンツ配信サーバ６２ａ、６２ｂ、・・・のいずれか、または複数の大容量コンテンツ配信サーバ６３ａ、６３ｂ、・・・のいずれかからプル方式で配信させる。
【００３９】
具体的な通信シーケンスや処理手順については、後述する。
【００４０】
システム管理サーバ５０は、データベースサーバ６０に接続され、管理者端末２０および配信者端末３０ａ、３０ｂから受信するデータを、その種別にしたがってデータベースサーバ６０の該当する処理手段に転送し、データベースサーバ６０からの応答データを送信元に返信する。
【００４１】
データベースサーバ６０は、図１と図２に示すように、システム管理サーバ５０、ストレージサーバ６１、低容量コンテンツ配信サーバ６２ａ、６２ｂ、および配信管理サーバ７０と接続され、処理手段として、配信者登録部１０１と、配信者認証部１０２と、入力画面提供部１０３と、告知情報登録部１０４と、配信データ抽出部１０５と、タイトル配信部１０６と、テキスト送信部１１１と、ログ更新部１０７と、視聴者登録部１０８と、視聴者認証部１０９と、配信者設定部１１０を含む。
【００４２】
さらに、データベースサーバ６０は、図１に示すように、記憶手段として、配信者情報データベース２０１と、視聴者情報データベース２０２と、画面構成情報マスタ２０３と、サーバメモリ２０４を含む。
【００４３】
配信者情報データベース２０１には、配信者登録情報Ｈｎと、配信者別配信先リストＬＨｎが保存されている。
【００４４】
視聴者情報データベース２０２には、視聴者登録情報Ｃｎと、配信者選択リストＬＣｎが保存されている。
【００４５】
画面構成情報マスタ２０３には、配信者が告知情報Ｍｎを登録する際に、登録漏れや誤りがないように、配信者が告知情報Ｍｎを入力するための告知情報フォーマットが保存されている。
【００４６】
サーバメモリ２０４には、告知基本情報ＭＫｎと、テキストの詳細情報ＭＳｎと、配信リストＤＴと、ログリストＧＴが保存されている。
【００４７】
ストレージサーバ６１は、図１と図２に示すように、データベースサーバ６０と大容量コンテンツ配信サーバ６３ａ、６３ｂに接続され、処理手段として、動画登録部１１２と、動画送信部１１３を含み、記憶手段として動画の詳細情報ＭＳｎが保存されているストレージ３０１を含む。
【００４８】
低容量コンテンツ配信サーバ６２ａ、６２ｂは、図２に示すように、データベースサーバ６０と配信管理サーバ７０に接続され、テキストの詳細情報ＭＳｎを視聴者端末４０ｎにプル方式で配信する。
【００４９】
大容量コンテンツ配信サーバ６３ａ、６３ｂは、図２に示すように、ストレージサーバ６１と配信管理サーバ７０に接続され、動画の詳細情報ＭＳｎを視聴者端末４０ｎにプル方式で配信する。
【００５０】
配信管理サーバ７０は、データベースサーバ６０、告知配信サーバ８１、低容量コンテンツ配信サーバ６２ａ、６２ｂおよび大容量コンテンツ配信サーバ６３ａ、６３ｂに接続され、視聴者ごとに告知情報Ｍｎを配信する各種配信サーバのアドレスを定義した視聴者別配信サーバリストＣＳｎを含み、データベースサーバ６０と視聴者端末４０ｎとの各種データの送受信や、各種配信サーバからの告知情報Ｍｎの配信の管理を行なう。
【００５１】
アドレスとは、データ通信を行なう際に使用するものであり、ＩＰアドレスなどデータの送り先を特定できるものであればよい。
【００５２】
セッション確立サーバ８０は、告知配信サーバ８１ａ、８１ｂと接続され、セッションごとに対応する告知配信サーバアドレスを定義したセッション別配信サーバリストＳＳｎを含み、インターネット網Ｎを介して告知配信サーバ８１ａ、８１ｂと視聴者端末４０ｎとのセッションを確立させためのデータ送受信を行なう。
【００５３】
告知配信サーバ８１ａ、８１ｂは、配信管理サーバ７０とセッション確立サーバ８０に接続され、インターネット網Ｎを介して視聴者端末４０ｎに告知基本情報ＭＫｎをプッシュ形式で配信する。
【００５４】
（配信用クラウド１０で使用される各種データの構成）
本発明の第１の実施の形態における配信用クラウド１０で使用される各種データの構成につて説明する。
【００５５】
図３の（ａ）に示すように、データベースサーバ６０の配信者情報データベース２０１に保存される配信者登録情報Ｈｎは、各配信者の配信者ＩＤ、配信者名称、配信者パスワード、告知表示色、アイコン画像ＩＤ、およびアイコン画像によって構成され、配信者ごとのデータであるＨ１、Ｈ２、・・・、Ｈｎが一覧になっている。
【００５６】
配信者ＩＤは配信者毎に付与された識別情報で、配信者名称は配信を行なう配信者（自治体など）の名称や地区名で、配信者パスワードは配信者がシステムにアクセスする際の認証用パスワードである。また、告知表示色は視聴者端末４０ｎに告知を表示する際の配信者が指定した色（例えば青、緑、ピンク、赤等）である。
【００５７】
さらに、アイコン画像ＩＤは視聴者端末４０ｎに表示する配信者のシンボルとして配信者が指定したアイコン画像に付与された識別情報で、アイコン画像はそのアイコン画像のデータである。このアイコン画像のデータは、配信者（例えば島根県松江市、東京都千代田区等）が独自に考えた犬、木、猫等のキャラクタ画像が好ましい。
【００５８】
図３の（ｂ）に示すように、データベースサーバ６０の配信者情報データベース２０１に保存される配信者別配信先リストＬＨｎは、配信者登録情報Ｈｎと関連付けるための配信者ＩＤと、当該配信者からの配信を希望する各視聴者の視聴者ＩＤを、第１の配信先視聴者ＩＤ、第２の配信先視聴者ＩＤ、・・・、第ｘの配信先視聴者ＩＤとして設定し、各視聴者が配信を希望する期間として指定した配信期間をそれぞれ設定したレコードによって構成される。
【００５９】
図３の（ｂ）では、複数の配信者別配信先リストＬＨｎが保存されていることを示すため、第１の配信者ＩＤの配信者別配信先リストＬＨ１、・・・、第ｎの配信者ＩＤの配信者別配信先リストＬＨｎとして列挙している。
【００６０】
図４の（ａ）に示すように、データベースサーバ６０の視聴者情報データベース２０２に保存される視聴者登録情報Ｃｎは、各視聴者の視聴者ＩＤ、視聴者パスワード、および登録日時によって構成され、視聴者ごとのデータであるＣ１、Ｃ２、・・・、Ｃｎが一覧になっている。
【００６１】
視聴者ＩＤはログイン時に入力する視聴者の識別情報で、視聴者パスワードはログイン時に入力する認証用パスワードで、登録日時は視聴者が本配信用クラウド１０に登録した日時である。
【００６２】
図４の（ｂ）に示すように、データベースサーバ６０の視聴者情報データベース２０２に保存される配信者選択リストＬＣｎは、視聴者登録情報Ｃｎと関連付けるための視聴者ＩＤと、本配信用クラウド１０に登録している各配信者の配信者ＩＤと配信者名称を、第１の配信者ＩＤと第１の配信者名称、第２の配信者ＩＤと第２の配信者名称、・・・、第ｎの配信者ＩＤと第ｎの配信者名称と設定され、各配信者についての配信選択（０：不要、１：希望）と、配信を希望する場合の配信期間（常時か、配信を希望する開始日時および終了日時）をそれぞれ設定したレコードによって構成される。
【００６３】
図４の（ｂ）では、複数の配信者選択リストＬＣｎが保存されていることを示すため、第１の視聴者ＩＤの配信者選択リストＬＣ１、・・・、第ｎの視聴者ＩＤの配信者選択リストＬＣｎとして列挙している。
【００６４】
図５には、配信者情報データベース２０１に保存される配信者登録情報Ｈｎと配信者別配信先リストＬＨｎ、および視聴者情報データベース２０２に保存される視聴者登録情報Ｃｎと配信者選択リストＬＣｎの関連を示している。
【００６５】
図５に示すように、配信者登録情報Ｈ１、Ｈ２、・・・、Ｈｎと配信者別配信先リストＬＨ１、ＬＨ２、・・・、ＬＨｎの各レコードは、配信者ＩＤによって１対１で関連付けられている。
【００６６】
同様に、視聴者登録情報Ｃ１、Ｃ２、・・・、Ｃｎと配信者選択リストＬＣ１、ＬＣ２、・・・、ＬＣｎの各レコードは、視聴者ＩＤによって１対１で関連付けられている。
【００６７】
配信者別配信先リストＬＨ１、ＬＨ２、・・・、ＬＨｎの各レコードは、そのレコード内に設定された配信を希望する視聴者の視聴者ＩＤによって、該当する視聴者ＩＤの配信者選択リストＬＣ１、ＬＣ２、・・・、ＬＣｎと関連付けられる。
【００６８】
逆に、配信者選択リストＬＣ１、ＬＣ２、・・・、ＬＣｎの各レコードは、そのレコード内で配信希望と選択した配信者の配信者ＩＤによって、該当する配信者ＩＤの配信者別配信先リストＬＨ１、ＬＨ２、・・・、ＬＨｎと関連付けられる。
【００６９】
このように、配信者ＩＤと視聴者ＩＤをキーとして、それぞれのデータを引き当てることができる。
【００７０】
図６に示すように、データベースサーバ６０のサーバメモリ２０４に保存される告知情報Ｍｎに含まれる告知基本情報ＭＫｎは、告知ＩＤ、配信者ＩＤ、配信者名称、アイコン画像ＩＤ、アイコン画像、告知表示色、タイトル、コンテンツ種別、配信時期、配信指定日時等によって構成される。
【００７１】
告知ＩＤは告知情報Ｍｎ毎に付与された識別情報で、配信者ＩＤは配信者毎に付与された識別情報で、配信者名称は配信を行なう配信者の名称や地区名で、アイコン画像ＩＤは視聴者端末４０ｎに表示する配信者のシンボルとして配信者が指定したアイコン画像に付与された識別情報で、アイコン画像はそのアイコン画像のデータで、告知表示色は視聴者端末４０ｎに告知を表示する際の配信者が指定した色で、タイトルは視聴者端末４０ｎに表示する告知タイトルの内容で、コンテンツ種別は詳細情報ＭＳｎが「０：低容量（テキスト）」か「１：大容量（動画）」かを指定するデータで、配信時期は「０：通常」か「１：日時指定」かを選択するデータで、配信指定日時は配信時期が「１：日時指定」の場合に登録した告知基本情報ＭＫｎを配信する日時を指定するデータである。
【００７２】
アイコン画像ＩＤ、アイコン画像、および告知表示色は、既に配信者登録情報Ｈｎに設定してあるので、データベースサーバ６０側で、配信者登録情報Ｈｎから読み込んで設定するが、配信者が告知情報Ｍｎを登録する際に設定しても構わない。
【００７３】
また、図６に示すように、データベースサーバ６０のサーバメモリ２０４に保存される告知情報Ｍｎに含まれる詳細情報ＭＳｎは、告知ＩＤ、配信者ＩＤ、およびコンテンツによって構成される。
【００７４】
告知ＩＤと配信者ＩＤは、告知基本情報ＭＫｎと関連付けるために告知基本情報ＭＫｎと同じ告知ＩＤと配信者ＩＤが設定される。
【００７５】
一方、配信者から登録される詳細情報ＭＳｎのコンテンツにはテキストまたは動画のデータがあるが、データベースサーバ６０のサーバメモリ２０４に保存される詳細情報ＭＳｎのコンテンツはテキストのみである。
【００７６】
図６では、複数の告知情報Ｍｎが登録されることを示すため、告知基本情報ＭＫ１と詳細情報ＭＳ１、告知基本情報ＭＫ２と詳細情報ＭＳ２、告知基本情報ＭＫ３詳細情報ＭＳ３、・・・、告知基本情報ＭＫｎと詳細情報ＭＳｎとして列挙している。
【００７７】
図１では、Ａ地区の配信者端末３０ａから告知基本情報ＭＫ１と詳細情報ＭＳ１が登録され、Ｂ地区の配信者端末３０ｂから告知基本情報ＭＫ２と詳細情報ＭＳ２が登録されるイメージを示している。
【００７８】
複数の地区の配信者から、それぞれ複数の告知情報Ｍｎが登録されるので、それぞれを識別するために登録される順に告知ＩＤを付与して、データベースサーバ６０のサーバメモリ２０４に次々と保存される。
【００７９】
なお、ストレージサーバ６１のストレージ３０１に保存される詳細情報ＭＳｎの場合は、コンテンツが動画のデータとである。
【００８０】
図７に示すように、データベースサーバ６０のサーバメモリ２０４の配信リストＤＴには、複数の配信データＨＤ１、ＨＤ２、・・・、ＨＤｎが保存される。
【００８１】
保存される配信データＨＤ１、ＨＤ２、・・・、ＨＤｎは、告知ＩＤ、配信者ＩＤ、配信先視聴者ＩＤ，配信者名称、アイコン画像、告知表示色、タイトル、コンテンツ種別、配信時期、および配信指定日時によって構成される。
【００８２】
配信先視聴者ＩＤは、配信者別配信先リストＬＨｎから読み出して設定され、それ以外のデータは告知基本情報ＭＫｎである。
【００８３】
図８に示すように、データベースサーバ６０のサーバメモリ２０４のログリストＧＴには、ログデータＧ１、Ｇ２、・・・、Ｇｎが保存されている。
【００８４】
保存されるログデータＧ１、Ｇ２、・・・、Ｇｎは、告知ＩＤ、配信者ＩＤ、配信先視聴者ＩＤ、配信状況、配信完了日時、視聴者再生回数、最新再生日時、および視聴者削除日時によって構成される。
【００８５】
告知ＩＤ、配信者ＩＤ、および配信先視聴者ＩＤは、ログデータＧ１、Ｇ２、・・・、Ｇｎに対応する配信データＨＤ１、ＨＤ２、・・・、ＨＤｎに設定されているデータが設定される。
【００８６】
配信状況には各配信データＨＤｎの告知基本情報ＭＫｎの視聴者への配信が完了したか未完了か設定され、配信完了日時には配信が完了して日時が設定される。
【００８７】
視聴者再生回数には視聴者が詳細情報ＭＳｎをプル方式で取得した回数が設定され、最新再生日時には視聴者が詳細情報ＭＳｎをプル方式で取得した最新の日時が設定される。
【００８８】
視聴者削除日時は、視聴者が視聴者端末４０ｎに保存された告知情報Ｍｎを削除した日時が設定される。
【００８９】
データベースサーバ６０の画面構成情報マスタ２０３に保存された告知情報フォーマットは、図６に示した告知情報Ｍｎの各項目について入力するための、入力画面様式を定義したものである。
【００９０】
図９に示すように、配信管理サーバ７０の視聴者別配信サーバリストＣＳｎは、視聴者ＩＤ、セッションＩＤ、告知配信サーバアドレス、低容量コンテンツ配信サーバアドレス、および大容量コンテンツ配信サーバアドレスによって構成される。
【００９１】
視聴者ＩＤは視聴者情報を登録する際に付与される各視聴者の識別情報で、セッションＩＤは各視聴者がログインした際に付与されるセッションの識別情報である。
【００９２】
告知配信サーバアドレス、低容量コンテンツ配信サーバアドレス、および大容量コンテンツ配信サーバアドレスは、視聴者情報を登録する際、または視聴者がログインした際に、それぞれ複数配置された配信サーバのうちから割り当てられる配信サーバと通信するためのアドレスである。
【００９３】
割り当て方は任意で、負荷分散を考慮して割り当てたり、視聴者の利用するアクセスポイントの場所から割り当てたりすることができる。
【００９４】
図１０に示すように、セッション確立サーバ８０のセッション別配信サーバリストＳＳｎは、セッションＩＤと告知配信サーバアドレスによって構成される。
【００９５】
セッションＩＤは、各視聴者がログインした際に付与されるセッションの識別情報で、告知配信サーバアドレスは当該セッションＩＤで視聴者がセッションを確立する告知配信サーバのアドレスである。
【００９６】
なお、セッションＩＤは、視聴者がログインした際に付与され、一定時間アクセスが無かったりログアウトしたりすると破棄される。
したがって、再度視聴者がログインした際に、これらのデータは更新される。
【００９７】
（データベースサーバ６０に含まれる各処理手段の機能）
つづいて、第１の実施の形態における配信用クラウド１０のデータベースサーバ６０に含まれる各処理手段の機能について説明する。
【００９８】
配信者登録部１０１は、本配信用クラウド１０で情報の配信を希望する配信者から依頼により、管理者端末２０から入力される配信者情報を、配信者を識別するための配信者ＩＤを付与した配信者登録情報Ｈｎとして、配信者情報データベース２０１に保存する。
【００９９】
配信者登録部１０１は、このとき、当該配信者用の配信者別配信先リストＬＨｎのエリアを、配信者登録情報Ｈｎと配信者ＩＤで関連付けて、配信者情報データベース２０１に設定する。
【０１００】
配信者認証部１０２は、配信者端末３０ａ、３０ｂから入力される配信者ＩＤとパスワードを、配信者情報データベース２０１に保存された配信者登録情報Ｈｎと照合して、配信者の認証を行なう。
【０１０１】
入力画面提供部１０３は、画面構成情報マスタ２０３に保存された告知情報フォーマットを読み出し、入力される告知情報を識別するための告知ＩＤを付与して、配信者端末３０ａ、３０ｂに送信する。
【０１０２】
告知情報登録部１０４は、配信者端末３０ａ、３０ｂで告知情報フォーマットに入力された告知情報Ｍｎを受信し、告知情報Ｍｎに含まれる告知ＩＤが付与された告知基本情報ＭＫｎに、登録済みの配信者登録情報Ｈｎから必要情報（アイコン画像や告知表示色など）を読み出して追加して、サーバメモリ２０４に保存する。
【０１０３】
さらに、告知情報登録部１０４は、告知情報Ｍｎに含まれる詳細情報ＭＳｎのコンテンツ種別を判断し、低容量（テキスト）であれば、告知ＩＤが付与されたテキストの詳細情報ＭＳｎをサーバメモリ２０４に保存し、大容量（動画）であれば、ストレージサーバ６１の動画登録部１１２に告知ＩＤが付与された動画の詳細情報ＭＳｎを送信する。
【０１０４】
配信データ抽出部１０５は、一定時間ごとに、サーバメモリ２０４に新たに保存された告知基本情報ＭＫｎを順に読み出し、各告知基本情報ＭＫｎに含まれる配信者ＩＤに対応する、配信者情報データベース２０１に保存された配信者別配信先リストＬＨｎから読み出した各配信先視聴者ＩＤに、告知基本情報ＭＫｎを追加して配信データＨＤｎを作成し、サーバメモリ２０４の配信リストＤＴに保存する。
【０１０５】
ただし、配信データ抽出部１０５は、現在の時間か配信者が告知基本情報ＭＫｎに設定した配信指定日時が、視聴者が希望する配信期間内である場合のみ、配信データＨＤｎを作成し、サーバメモリ２０４の配信リストＤＴに保存する。
【０１０６】
タイトル配信部１０６は、一定時間ごとに、サーバメモリ２０４の配信リストＤＴに保存された配信データＨＤｎを順に読み出し、配信管理サーバ７０に送信する。
【０１０７】
さらに、タイトル配信部１０６は、配信管理サーバ７０に初めて送信する配信データＨＤｎについては、当該配信データＨＤｎの告知ＩＤ、配信者ＩＤおよび配信先視聴者ＩＤと、配信状況欄に「配信中」と設定した、ログデータＧｎを作成し、サーバメモリ２０４のログリストＧＴに保存する。
【０１０８】
ただし、タイトル配信部１０６は、読み出した配信データＨＤｎに配信指定日時が設定されている場合は、現在の時間が配信指定日時に達しているときのみ、配信データＨＤｎを配信管理サーバ７０に送信する。
【０１０９】
ログ更新部１０７は、配信管理サーバ７０から、各告知情報Ｍｎの配信の経過を、告知ＩＤ、視聴者ＩＤ、および配信状態情報によって通知されると、告知ＩＤと視聴者ＩＤで、サーバメモリ２０４のログリストＧＴから、該当のログデータＧｎを検出し、配信状態情報のデータにより、ログデータＧｎを更新する。
【０１１０】
さらに、ログ更新部１０７は、配信状態情報のデータが「配信完了」である場合は、告知ＩＤと視聴者ＩＤで、サーバメモリ２０４の配信リストＤＴから、該当の配信データＨＤｎを検出し、当該配信データＨＤｎを削除する。
【０１１１】
テキスト送信部１１１は、視聴者端末４０ｎから、配信管理サーバ７０と低容量コンテンツ配信サーバ６２ａ、６２ｂを経由して受信した詳細情報要求に含まれる告知ＩＤで、サーバメモリ２０４のテキストの詳細情報ＭＳｎを検索し、該当の詳細情報ＭＳｎを読み出して、低容量コンテンツ配信サーバ６２ａ、６２ｂに送信する。
【０１１２】
視聴者登録部１０８は、本配信用クラウド１０で情報の配信を希望する視聴者によって、視聴者端末４０ｎから入力される視聴者情報を、視聴者を識別するための視聴者ＩＤを付与した視聴者登録情報Ｃｎとして、視聴者情報データベース２０２に保存する。
【０１１３】
視聴者登録部１０８は、このとき、当該視聴者用の配信者選択リストＬＣｎのエリアを、視聴者登録情報Ｃｎと視聴者ＩＤで関連付けて、視聴者情報データベース２０２に設定する。
【０１１４】
視聴者認証部１０９と、視聴者端末４０ｎから入力される視聴者ＩＤとパスワードを、視聴者情報データベース２０２に保存された視聴者登録情報Ｃｎと照合して、視聴者の認証を行なう。
【０１１５】
配信者設定部１１０は、視聴者端末４０ｎから配信者選択リスト要求を受信すると、配信者情報データベース２０１の配信者登録情報Ｈｎに登録された全ての配信者ＩＤと配信者名称を設定した配信者選択フォーマットを作成して視聴者端末４０ｎに送信する。
【０１１６】
また、配信者設定部１１０は、視聴者端末４０ｎから配信者選択フォーマットに配信選択および表示条件（配信期間）を設定した配信者別設定情報ＨＳｎを受信すると、視聴者情報データベース２０２の配信者選択リストＬＣｎに設定する。
【０１１７】
さらに、配信者設定部１１０は、設定した配信者選択リストＬＣｎから、視聴者が配信希望と選択した各配信者の配信者ＩＤと配信期間を読み、配信者情報データベース２０１に設定された各配信者ＩＤの配信者別配信先リストＬＨｎに、当該視聴者の視聴者ＩＤを配信先視聴者ＩＤとして追加し、配信期間を設定する。
【０１１８】
（ストレージサーバ６１に含まれる各処理手段の機能）
つづいて、第１の実施の形態における配信用クラウド１０のストレージサーバ６１に含まれる各処理手段の機能について説明する。
【０１１９】
動画登録部１１２は、告知情報Ｍｎに含まれる詳細情報ＭＳｎのコンテンツ種別が大容量（動画）の場合に、データベースサーバ６０の告知情報登録部１０４から送信される告知ＩＤが付与された動画の詳細情報ＭＳｎを、ストレージ３０１に保存する。
【０１２０】
動画送信部１１３は、視聴者端末４０ｎから、配信管理サーバ７０と大容量コンテンツ配信サーバ６３ａ、６３ｂを経由して受信した詳細情報要求に含まれる告知ＩＤで、ストレージ３０１の動画の詳細情報ＭＳｎを検索し、該当の詳細情報ＭＳｎを読み出して、大容量コンテンツ配信サーバ６３ａ、６３ｂに送信する。
【０１２１】
（本発明の第１の実施の形態における視聴者端末４０ｎの構成）
一方、視聴者は、配信用クラウド１０を利用するにあたって、使用する視聴者端末４０ｎに、以下に説明する視聴者端末４０ｎの各処理手段を実行させるためのプログラム（アプリケーション）を、配信用クラウド１０などからダウンロードして実装する。
【０１２２】
図示していないが、配信用クラウド１０は、データベースサーバ６０や配信管理サーバ７０などにアプリケーションを提供する手段を備えている。
【０１２３】
たとえば、データベースサーバ６０にプログラム提供部（図示せず）を設け、データベースサーバ６０のサーバメモリ２０４に当該アプリケーションをあらかじめ保存しておき、視聴者からのダウンロード要求を受信すると、当該アプリケーションを視聴者端末４０ｎにダウンロードさせて実装することで、視聴者端末４０ｎのＣＰＵに、図１１に示す各処理手段としての機能を実行させる。
【０１２４】
本発明の第１の実施の形態における視聴者端末４０ｎは、図１１に示すように、画面４１と、セッション確立部４２と、表示設定部４３と、配信情報受信部４４と、タイトル表示部４５と、タイトル削除部４６と、コンテンツ取得部４７と、端末メモリ４８で構成される。
【０１２５】
端末メモリ４８には、配信者別設定情報ＨＳｎと配信情報ＨＴｎが保存される。
【０１２６】
図１１には、視聴者端末４０ｎに対して、告知配信サーバ８１ａ、低容量コンテンツ配信サーバ６２ａ、および大容量コンテンツ配信サーバ６３ａが割当てられている場合を例示している。
【０１２７】
（視聴者端末４０ｎで使用される各種データの構成）
つづいて、視聴者端末４０ｎで使用される各種データの構成につて説明する。
【０１２８】
配信者別設定情報ＨＳｎは、図４の（ｂ）に示した配信者選択リストＬＣｎと同様の構成で、本配信用クラウド１０に登録している各配信者の配信者ＩＤと配信者名称を、第１の配信者ＩＤと第１の配信者名称、第２の配信者ＩＤと第２の配信者名称、・・・、第ｎの配信者ＩＤと第ｎの配信者名称と設定され、各配信者についての配信選択（０：不要、１：希望）と、配信を希望する場合の配信期間をそれぞれ設定する欄によって構成される。
【０１２９】
なお、各配信者の配信者ＩＤと配信者名称は、データベースサーバ６０から送信される配信者選択フォーマットに設定されている。
【０１３０】
配信情報ＨＴｎは、図１１に示すように、各配信者に対応した配信者名称を付したフォルダＦｎが作成され、各フォルダＦｎには、フォルダ内配信データ未読数を設定するデータが付与され、該当の配信者からの図７に示した配信データＨＤｎに未読フラグが追加されて保存される。
【０１３１】
（視聴者端末４０ｎに含まれる各処理手段の機能）
つづいて、視聴者端末４０ｎに含まれる各処理手段の機能について説明する。
【０１３２】
セッション確立部４２は、画面４１から入力された視聴者情報を、配信管理サーバ７０を介してデータベースサーバ６０に送信して登録し、登録した視聴者情報の視聴者ＩＤとパスワードを、配信管理サーバ７０を介してデータベースサーバ６０に送信してログインし、告知配信サーバ８１ａとセッションを確立する。
【０１３３】
表示設定部４３は、配信管理サーバ７０を介してデータベースサーバ６０に配信者選択フォーマットの送信を要求し、画面４１に受信した配信者選択フォーマットを表示して配信者選択および表示条件（配信期間）を設定させ、設定した情報を配信者別設定情報ＨＳｎとして端末メモリ４８に保存すると同時に、配信管理サーバ７０を介してデータベースサーバ６０に送信する。
【０１３４】
配信情報受信部４４は、告知配信サーバ８１ａから配信される告知基本情報ＭＫｎを含む配信データＨＤｎを受信し、端末メモリ４８に配信データＨＤｎに含まれる配信者名称を付したフォルダＦｎ（たとえば、Ａ地区フォルダＦ１）が既に作成されている場合は、当該フォルダＦｎに配信データＨＤｎに未読フラグ「１」を追加して保存し、作成されていない場合は、新たに配信者名称を付したフォルダＦｎ（たとえば、Ｂ地区フォルダＦ２）を作成して、作成したフォルダＦｎに配信データＨＤｎに未読フラグ「１」を追加して保存する。
【０１３５】
配信情報受信部４４は、未読・既読を管理するために、フォルダＦｎのフォルダ内配信データ未読数を１加算する。
【０１３６】
タイトル表示部４５は、画面４１から表示タップ信号を受信すると、端末メモリ４８に作成された各フォルダＦｎに対応した配信者名称を付したタブＴＧｎを生成し、各フォルダＦｎのフォルダ内配信データ未読数とともに画面４１に表示する。
【０１３７】
タイトル表示部４５は、最初のフォルダＦ１に対応するタブＴＧａのエリア（画面４１の最前面に表示されている）に、フォルダＦ１に保存された配信データＨＤｎのタイトルを、配信データＨＤｎに含まれる告知表示色に従って一覧表示する。
【０１３８】
さらに、タイトル表示部４５は、画面４１で別のタブＴＧｎを指定したタブ選択タップ信号を受信すると、当該タブＴＧｎのエリアを画面４１の最前面に表示し、選択されたタブＴＧｎに該当するフォルダＦｎ内に保存された配信データＨＤｎのタイトルを、配信データＨＤｎに含まれる告知表示色に従って一覧表示する。
【０１３９】
タイトル削除部４６は、画面４１から削除タップ信号を受信すると、該当のタイトルの告知ＩＤ、配信者ＩＤから、対応するフォルダＦｎに保存された配信データＨＤｎを検出して削除すると同時に、当該配信データＨＤｎの告知ＩＤと配信先視聴者ＩＤで、配信管理サーバ７０に告知削除通知を送信し、データベースサーバ６０のログデータＧｎを更新させる。
【０１４０】
タイトル削除部４６は、削除する配信データＨＤｎに追加された未読フラグの値が「１（未読）」の場合は、フォルダ内配信データ未読数を１減算する。
【０１４１】
コンテンツ取得部４７は、画面４１からタイトルタップ信号を受信すると、該当のタイトルの告知ＩＤと配信者ＩＤから、対応するフォルダＦｎに保存された配信データＨＤｎを検出し、当該配信データＨＤｎのコンテンツ種別、告知ＩＤおよび配信先視聴者ＩＤ、並びに視聴者端末アドレスを含めた詳細情報要求を、配信管理サーバ７０に送信し、低容量コンテンツ配信サーバ６２ａまたは大容量コンテンツ配信サーバ６３ａから返信される詳細情報ＭＳｎを受信し、画面４１に表示・再生する。
【０１４２】
コンテンツ取得部４７は、当該配信データＨＤｎに追加された未読フラグの値が「１（未読）」の場合は、未読フラグの値を「０：既読」に変更し、フォルダ内配信データ未読数を１減算する。
【０１４３】
（本発明の第１の実施の形態における告知配信システムの各工程のシーケンス）
本発明の第１の実施の形態における告知配信システムによる処理について、工程ごとにシーケンスを図示しながら説明する。
【０１４４】
（ア）配信者情報登録工程
配信者情報登録工程は、配信者が、配信者自らが提供する告知情報Ｍｎを、配信用クラウド１０を利用して配信するために、予め配信者情報（配信者ＩＤ、配信者名称、配信者パスワード、告知表示色、アイコン画像ＩＤ、およびアイコン画像）を配信用クラウド１０に登録する工程である。
【０１４５】
図１２に示すように、システム管理者は、配信者の依頼により、管理者端末２０から新規の配信者情報を入力し、システム管理サーバ５０に登録を要求する（ｄ１）。
【０１４６】
システム管理サーバ５０は、受信した新規の配信者情報をデータベースサーバ６０の配信者登録部１０１に転送する（ｄ２）。
【０１４７】
配信者登録部１０１は、受信した新規の配信者情報に配信者を識別するための配信者ＩＤを付与する（ｄ３）。
【０１４８】
配信者登録部１０１は、配信者ＩＤを付与した新規の配信者情報を配信者情報データベース２０１に配信者登録情報Ｈｎ（配信者ＩＤ、配信者名称、配信者パスワード、告知表示色、アイコン画像ＩＤ、およびアイコン画像）として保存する（ｄ４）。
【０１４９】
配信者登録部１０１は、さらに配信者登録情報Ｈｎと配信者ＩＤで関連付けて、新規配信者の配信者別配信先リストＬＨｎのエリアを設定する（ｄ５）。
【０１５０】
配信者登録部１０１は、登録処理が完了すると、付与した配信者ＩＤとともに設定完了通知をシステム管理サーバ５０に送信する（ｄ６）。
【０１５１】
システム管理サーバ５０は、受信した配信者ＩＤとともに設定完了通知を管理者端末２０に転送する（ｄ７）。
【０１５２】
システム管理者は、付与された配信者ＩＤを配信者に通知して、配信者は利用時に当該配信者ＩＤとパスワードを入力してログインすることになる。
【０１５３】
（イ）告知情報登録工程
告知情報登録工程は、配信者が、配信用クラウド１０を利用して配信する、配信者自らが提供する告知情報Ｍｎを、配信用クラウド１０に登録する工程である。
【０１５４】
図１３に示すように、配信者は、配信者端末３０ｎから配信用クラウド１０にアクセスするため、配信者ＩＤとパスワードをシステム管理サーバ５０に入力して、ログインする（ｄ８）。
【０１５５】
システム管理サーバ５０は、受信した配信者ＩＤとパスワードをデータベースサーバ６０の配信者認証部１０２に転送する（ｄ９）。
【０１５６】
配信者認証部１０２は、配信者ＩＤをキーに配信者情報データベース２０１から、該当する配信者登録情報Ｈｎ（配信者ＩＤ、配信者名称、配信者パスワード、告知表示色、アイコン画像ＩＤ、およびアイコン画像）を読み出す（ｄ１０）。
【０１５７】
配信者認証部１０２は、受信したパスワードと配信者登録情報Ｈｎに登録されたパスワードと照合して、配信者の認証を行ない、入力画面提供部１０３を起動する（ｄ１１）。
【０１５８】
入力画面提供部１０３は、画面構成情報マスタ２０３から告知情報フォーマットを読み出す（ｄ１２）。
【０１５９】
入力画面提供部１０３は、入力される告知情報を識別するための告知ＩＤを生成し、告知情報フォーマットに設定する（ｄ１３）。
【０１６０】
入力画面提供部１０３は、告知ＩＤを設定した告知情報フォーマットをシステム管理サーバ５０に送信する（ｄ１４）。
【０１６１】
システム管理サーバ５０は、受信した告知ＩＤを設定した告知情報フォーマットを配信者端末３０ｎに転送する（ｄ１５）。
【０１６２】
配信者端末３０ｎは、受信した告知ＩＤが設定された告知情報フォーマットに従って、入力画面を表示する（ｄ１６）。
【０１６３】
つづいて、図１４に示すように、配信者は、配信者端末３０ｎの入力画面に、告知基本情報ＭＫｎと詳細情報ＭＳｎを設定する（ｄ１７）。
【０１６４】
配信者端末３０ｎは、入力された告知基本情報ＭＫｎと詳細情報ＭＳｎを告知情報Ｍｎとしてシステム管理サーバ５０に送信する（ｄ１８）。
【０１６５】
システム管理サーバ５０は、受信した告知情報Ｍｎ（告知基本情報ＭＫｎと詳細情報ＭＳｎを含む）をデータベースサーバ６０の告知情報登録部１０４に転送する（ｄ１９）。
【０１６６】
告知情報登録部１０４は、告知基本情報ＭＫｎに含まれる配信者ＩＤのキーに、配信者情報データベース２０１から該当の配信者登録情報Ｈｎを読み出す（ｄ２０）。
【０１６７】
告知情報登録部１０４は、配信者名称、アイコン画像、告知表示色など、配信者登録情報Ｈｎに設定してある登録情報で必要なデータを、受信した告知基本情報ＭＫｎ（告知ＩＤ、配信者ＩＤ、タイトルを含む）に設定する（ｄ２１）。
【０１６８】
なお、配信者が配信者端末３０ｎの入力画面で、告知基本情報ＭＫｎの全要素を設定するようにしている場合は、この処理は不要である。
【０１６９】
告知情報登録部１０４は、全要素の設定が完了した告知基本情報ＭＫｎ（告知表示色、告知ＩＤ、配信者ＩＤ、タイトルを含む）を、サーバメモリ２０４に保存する（ｄ２２）。
【０１７０】
告知情報登録部１０４は、受信した告知基本情報ＭＫｎ（告知表示色、告知ＩＤ、配信者ＩＤ、タイトルを含む）に含まれるコンテンツ種別が、低容量（テキスト）か大容量（動画）か判定する（ｄ２３）。
【０１７１】
告知情報登録部１０４は、コンテンツ種別が低容量（テキスト）の場合、テキストの詳細情報ＭＳｎを、サーバメモリ２０４に保存する（ｄ２４）。
【０１７２】
告知情報登録部１０４は、コンテンツ種別が大容量（動画）の場合、動画の詳細情報ＭＳｎを、ストレージサーバ６１の動画登録部１１２に送信する（ｄ２５）。
【０１７３】
動画登録部１１２は、受信した動画の詳細情報ＭＳｎを、ストレージ３０１に保存する（ｄ２６）。
【０１７４】
動画登録部１１２は、保存完了通知をデータベースサーバ６０の告知情報登録部１０４に返信する（ｄ２７）。
【０１７５】
告知情報登録部１０４は、テキストの詳細情報ＭＳｎのサーバメモリ２０４への保存が完了するか、ストレージサーバ６１の動画登録部１１２から保存完了通知を受信すると、システム管理サーバ５０に保存完了通知を送信する（ｄ２８）。
【０１７６】
システム管理サーバ５０は、受信した保存完了通知を、配信者端末３０ｎに転送する（ｄ２９）。
【０１７７】
（ウ）視聴者情報登録工程
視聴者情報登録工程は、視聴者が、複数の配信者のなかから希望する配信者を選択して、選択した配信者から告知情報Ｍｎの配信を受けるために、予め視聴者情報を配信用クラウド１０に登録する工程である。
【０１７８】
図１５と図１６に、視聴者端末４０ｎの画面４１の表示イメージを例示しているので、画面４１の表示イメージを参照しながら、シーケンスを説明する。
【０１７９】
視聴者は、図１５の（ａ）に示した視聴者端末４０ｎの画面４１で、ダウンロードしたアプリケーションを示すアイコンＢ１を、タップ（またはタッチ）して起動する。
【０１８０】
図１７に示すように、まず視聴者は、視聴者情報を入力して、視聴者端末４０ｎのセッション確立部４２から、視聴者情報を配信管理サーバ７０に送信して登録する（ｄ３０）。
【０１８１】
配信管理サーバ７０は、受信した視聴者情報を、データベースサーバ６０の視聴者登録部１０８に転送する（ｄ３１）。
【０１８２】
視聴者登録部１０８は、受信した新規の視聴者情報に、視聴者を識別するための視聴者ＩＤを付与する（ｄ３２）。
【０１８３】
視聴者登録部１０８は、視聴者ＩＤを付与した視聴者情報を視聴者情報データベース２０２に視聴者登録情報Ｃｎ（視聴者ＩＤ、視聴者パスワード、登録日時）として保存する（ｄ３３）。
【０１８４】
視聴者登録部１０８は、さらに視聴者登録情報Ｃｎと視聴者ＩＤで関連付けて、新規視聴者の配信者選択リストＬＣｎのエリアを設定する（ｄ３４）。
【０１８５】
視聴者登録部１０８は、登録処理が完了すると、付与した視聴者ＩＤとともに設定完了通知を配信管理サーバ７０に送信する（ｄ３５）。
【０１８６】
配信管理サーバ７０は、視聴者ＩＤと視聴者への配信を担当する各種配信サーバ（たとえば、告知配信サーバ８１ａ、低容量コンテンツ配信サーバ６２ａ、および大容量コンテンツ配信サーバ６３ａ）のアドレスを視聴者別配信サーバリストＣＳｎに設定して関連付ける（ｄ３６）。
【０１８７】
配信管理サーバ７０は、視聴者ＩＤとともに設定完了通知を視聴者端末４０ｎのセッション確立部４２に送信する（ｄ３７）。
【０１８８】
セッション確立部４２は、図１５の（ｂ）に示したように、視聴者に登録が完了した視聴者ＩＤとパスワードを入力してログインするためのログイン画面を表示する（ｄ３８）。
【０１８９】
一旦、視聴者情報の登録が完了すると、図１５の（ａ）でアイコンＢ１をタップすれば、図１５の（ｂ）のログイン画面が表示される。
【０１９０】
図１８に示すように、視聴者は、視聴者端末４０ｎのログイン画面で、視聴者ＩＤとパスワードを入力し、入力ボタンＢ２をタップすると、セッション確立部４２は、入力された視聴者ＩＤとパスワードを配信管理サーバ７０に送信し、ログインする（ｄ３９）。
【０１９１】
配信管理サーバ７０は、受信した視聴者ＩＤとパスワードをデータベースサーバ６０の視聴者認証部１０９に送信する（ｄ４０）。
【０１９２】
視聴者認証部１０９は、受信した視聴者ＩＤをキーに、視聴者情報データベース２０２から該当の視聴者登録情報Ｃｎ（視聴者ＩＤ、視聴者パスワード、登録日時）を読み出す（ｄ４１）。
【０１９３】
視聴者認証部１０９は、受信したパスワードと、視聴者登録情報Ｃｎに登録されたパスワードを照合して、視聴者の認証を行なう（ｄ４２）。
【０１９４】
視聴者認証部１０９は、認証が完了すると、視聴者ＩＤとログイン承認通知を配信管理サーバ７０に返信する（ｄ４３）。
【０１９５】
配信管理サーバ７０は、受信した視聴者ＩＤをキーに、視聴者別配信サーバリストＣＳｎ（視聴者ＩＤ、セッションＩＤ、告知配信サーバアドレス、低容量コンテンツ配信サーバアドレス、大容量コンテンツ配信サーバアドレス）を検索し、当該視聴者ＩＤに関連付けられた、たとえば告知配信サーバ８１ａのアドレスを読み出す（ｄ４４）。
【０１９６】
配信管理サーバ７０は、視聴者の今回のログインで確立するセッションを識別するためのセッションＩＤを生成して、視聴者別配信サーバリストＣＳｎ（視聴者ＩＤ、セッションＩＤ、告知配信サーバアドレス、低容量コンテンツ配信サーバアドレス、大容量コンテンツ配信サーバアドレス）の当該視聴者ＩＤのレコードに付与する（Ｄ４５）。
【０１９７】
配信管理サーバ７０は、付与したセッションＩＤとログイン承認通知を視聴者端末４０ｎのセッション確立部４２に送信する（ｄ４６）。
【０１９８】
この際、必要であれば、セッションを確立するために視聴者端末４０ｎがアクセスするセッション確立サーバ８０のアドレスを、同時に視聴者端末４０ｎに通知する。
【０１９９】
配信管理サーバ７０は、同時に、視聴者別配信サーバリストＣＳｎから読み出した当該視聴者ＩＤに関連付けられた告知配信サーバ８１ａのアドレスによって、付与したセッションＩＤを告知配信サーバ８１ａに送信する（ｄ４７）。
【０２００】
告知配信サーバ８１ａは、受信したセッションＩＤを、一時メモリ（図示せず）などに保存しておく（ｄ４８）。
【０２０１】
図１９に示すように、視聴者端末４０ｎのセッション確立部４２は、受信したセッションＩＤを、通知されたセッション確立サーバ８０のアドレスにしたがって、セッション確立サーバ８０に送信する（ｄ４９）。
【０２０２】
セッション確立サーバ８０は、受信したセッションＩＤで、各告知配信サーバ８１ａ、８１ｂに、今回のセッションの相手となるサーバであるか問い合わせる（ｄ５０）。
【０２０３】
セッション確立サーバ８０は、問い合わせに応答した告知配信サーバ８１ａのアドレスを、当該セッションＩＤと関連付けて、セッション別配信サーバリストＳＳｎに保存する（ｄ５１）。
【０２０４】
告知配信サーバ８１ａは、セッション相手の視聴者端末４０ｎのセッション確立部４２にセッション確立信号を送信する（ｄ５２）。
【０２０５】
セッション確立部４２は、セッション応答信号をセッション相手の告知配信サーバ８１ａに返信する（ｄ５３）。
【０２０６】
告知配信サーバ８１ａは、確立したセッション状態を監視して、定期的に視聴者端末４０ｎのセッション確立部４２にセッション確立信号を送信し、セッション確立部４２からのセッション応答信号を確認する（ｄ５４）。
【０２０７】
通信が一時的に途絶えた場合、視聴者端末４０ｎのセッション確立部４２は、セッションＩＤを、セッション確立サーバ８０のアドレスにしたがって、セッション確立サーバ８０に再度送信し、ｄ４９からｄ５４の手順を繰り返し、セッションの再確立を行なう。
【０２０８】
通信が長時間途絶えたり、視聴者がログアウトしたりした場合は、今回のセッションは切断され、視聴者のログインで新たなセッションが形成される。
【０２０９】
（エ）配信者選択および表示条件設定工程
配信者選択および表示条件設定工程は、視聴者が、複数の配信者のなかから希望する配信者を選択して、選択した配信者の告知情報Ｍｎの配信用クラウド１０からの配信条件や、視聴者端末４０ｎでの告知情報Ｍｎの表示条件を設定する工程である。
【０２１０】
図２０に示すように、視聴者が図１５の（ｃ）に示す視聴者端末４０ｎの画面４１に表示された設定メニュボタンＢ３をタップすると、視聴者端末４０ｎの表示設定部４３は、配信者選択フォーマットを配信管理サーバ７０に要求する（ｄ５５）。
【０２１１】
配信管理サーバ７０は、受信した配信者選択フォーマット要求をデータベースサーバ６０の配信者設定部１１０に転送する（ｄ５６）。
【０２１２】
配信者設定部１１０は、配信者選択フォーマット要求を受信すると、配信者情報データベース２０１の配信者登録情報Ｈｎを読み出す（ｄ５７）。
【０２１３】
配信者設定部１１０は、配信者登録情報Ｈｎに登録された全ての配信者ＩＤと配信者名称を設定した配信者選択フォーマットを作成して、配信管理サーバ７０に送信する（ｄ５８）。
【０２１４】
配信管理サーバ７０は、受信した配信者選択フォーマットを視聴者端末４０ｎの表示設定部４３に転送する（ｄ５９）。
【０２１５】
表示設定部４３は、配信者選択フォーマットを受信すると、図１５の（ｄ）に示すように、視聴者端末４０ｎの画面４１に配信者別設定情報ＨＳｎ（視聴者ＩＤ、配信者ＩＤ、配信者名称、配信選択（不要、希望）、配信期間）の設定画面として表示し、視聴者に各配信者について、配信選択の不要・希望と、希望する場合、配信期間として常時、または配信開始日時と配信終了日時を設定させ、端末メモリ４８に保存する（ｄ６０）。
【０２１６】
なお、配信者別設定情報ＨＳｎには視聴者ＩＤと配信者ＩＤが含まれるが、視聴者ＩＤと配信者ＩＤは内部処理用のデータなので、図１５の（ｄ）の画面イメージでは表示されていない。
【０２１７】
表示設定部４３は、設定画面を表示する際に、端末メモリ４８に以前設定した配信者別設定情報ＨＳｎが存在する場合、配信者設定部１１０から配信管理サーバ７０を経由して全ての配信者ＩＤと配信者名称を含んで送信されてくる配信者選択フォーマットを、保存されていた配信者別設定情報ＨＳｎで上書きして、画面４１に表示する。
【０２１８】
視聴者は、新たに登録された配信者の配信者ＩＤと配信者名称について未設定の状態で表示されるので、新規配信者であることを認識できる。
【０２１９】
図１５の（ｄ）の例では、配信者名称（地区名）がＡ地区の配信者からの告知情報Ｍｎの配信を常時希望し、Ｂ地区の配信者からの告知情報Ｍｎは、２０１４年１月１日から２０１４年３月３１日までの期間のみ配信を希望し、Ｚ地区の配信者からの告知情報Ｍｎは、配信不要という設定を行なっている。
【０２２０】
表示設定部４３は、図１５の（ｄ）に示す視聴者端末４０ｎの画面４１に表示された更新ボタンＢ５がタップされると、設定された配信者別設定情報ＨＳｎを配信管理サーバ７０に送信する（ｄ６１）。
【０２２１】
配信管理サーバ７０は、受信した配信者別設定情報ＨＳｎ（視聴者ＩＤ、配信者ＩＤ、配信者名称、配信選択（不要、希望）、配信期間）をデータベースサーバ６０の配信者設定部１１０に転送する（ｄ６２）。
【０２２２】
配信者設定部１１０は、配信者別設定情報ＨＳｎ（視聴者ＩＤ、配信者ＩＤ、配信者名称、配信選択（不要、希望）、配信期間）を受信すると、視聴者情報データベース２０２で送信元の視聴者ＩＤが設定されているエリアに、配信者選択リストＬＣｎとして保存する（ｄ６３）。
【０２２３】
配信者設定部１１０は、保存した配信者選択リストＬＣｎ（視聴者ＩＤ、配信者ＩＤ、配信者名称、配信選択（不要、希望）、配信日時）から配信希望と選択された配信者の配信者ＩＤを読み取り、配信者情報データベース２０１で当該配信者ＩＤに関連付けられている配信者別配信先リストＬＨｎに、送信元の視聴者ＩＤを配信先視聴者ＩＤとして、配信期間とともに設定する（ｄ６４）。
【０２２４】
配信者設定部１１０は、配信管理サーバ７０に設定完了通知を送信する（ｄ６５）。
【０２２５】
配信管理サーバ７０は、視聴者端末４０ｎの表示設定部４３に設定完了通知を転送する（ｄ６６）。
【０２２６】
なお、データベースサーバ６０の配信者設定部１１０の詳細な処理については、フローチャートを参照しながら後述する。
【０２２７】
（オ）告知基本情報抽出工程
告知基本情報抽出工程は、配信者が登録した告知情報Ｍｎのうち告知基本情報ＭＫｎ（告知ＩＤ、配信者ＩＤ、配信者名称、アイコン画像ＩＤ、アイコン画像、告知表示色、タイトル、コンテンツ種別、配信時期、配信指定日時）を、一定時間ごとに抽出し、配信者別配信先リストＬＨｎに設定された配信先の視聴者ＩＤと組にした配信データＨＤｎ（告知ＩＤ、配信者ＩＤ、配信先視聴者ＩＤ、配信者名称、アイコン画像、告知表示色、タイトル、コンテンツ種別、配信時期、配信指定日時）を配信リストＤＴに保存する工程である。
【０２２８】
図２１に示すように、データベースサーバ６０の配信データ抽出部１０５は、一定時間ごとに、サーバメモリ２０４に新たに保存された告知基本情報ＭＫｎ（告知ＩＤ、配信者ＩＤ、配信者名称、アイコン画像ＩＤ、アイコン画像、告知表示色、タイトル、コンテンツ種別、配信時期、配信指定日時）を読み出し、告知基本情報ＭＫｎに含まれる配信者ＩＤで、配信者情報データベース２０１に保存された配信者別配信先リストＬＨｎを検索し、配信者別配信先リストＬＨｎに設定された各配信先視聴者ＩＤと告知基本情報ＭＫｎ（告知ＩＤ、配信者ＩＤ、配信者名称、アイコン画像ＩＤ、アイコン画像、告知表示色、タイトル、コンテンツ種別、配信時期、配信指定日時）から配信データＨＤｎ（告知ＩＤ、配信者ＩＤ、配信先視聴者ＩＤ、配信者名称、アイコン画像、告知表示色、タイトル、コンテンツ種別、配信時期、配信指定日時）を作成し、サーバメモリ２０４の配信リストＤＴに保存する（ｄ６７）。
【０２２９】
（カ）プッシュ方式告知基本情報配信工程
プッシュ方式告知基本情報配信工程は、配信リストＤＴに保存された配信データＨＤｎ（告知ＩＤ、配信者ＩＤ、配信先視聴者ＩＤ、配信者名称、アイコン画像、告知表示色、タイトル、コンテンツ種別、配信時期、配信指定日時）を、一定時間ごとに読み出し、配信データＨＤｎを配信先の視聴者ＩＤあてに、プッシュ方式で配信する工程である。
【０２３０】
図２１に示すように、データベースサーバ６０のタイトル配信部１０６は、一定時間ごとに、サーバメモリ２０４の配信リストＤＴに保存された配信データＨＤｎ（告知ＩＤ、配信者ＩＤ、配信先視聴者ＩＤ、配信者名称、アイコン画像、告知表示色、タイトル、コンテンツ種別、配信時期、配信指定日時）を読み出す（ｄ６８）。
【０２３１】
タイトル配信部１０６は、読み出した配信データＨＤｎを配信管理サーバ７０に送信する（ｄ６９）。
【０２３２】
タイトル配信部１０６は、送信した配信データＨＤｎの告知ＩＤ、配信者ＩＤおよび配信先視聴者ＩＤと、配信状況欄に「配信中」と設定したログデータＧｎ（ログデータ、告知ＩＤ、配信者ＩＤ、配信先視聴者ＩＤ、配信状況、配信完了日時、視聴者再生回数、最新再生日時、視聴者削除日時）を作成して、サーバメモリ２０４のログリストＧＴは完了に保存する（ｄ７０）。
【０２３３】
配信管理サーバ７０は、受信した配信データＨＤｎに含まれる配信先視聴者ＩＤで、視聴者別配信サーバリストＣＳｎ（視聴者ＩＤ、セッションＩＤ、告知配信サーバアドレス、低容量コンテンツ配信サーバアドレス、大容量コンテンツ配信サーバアドレス）を検索し、当該配信先視聴者ＩＤの視聴者端末４０ｎが確立しているセッションのセッションＩＤと、セッション相手の告知配信サーバのアドレスを読み出す（ｄ７１）。
【０２３４】
配信管理サーバ７０は、読み出した告知配信サーバアドレスの告知配信サーバ８１ａに、配信データＨＤｎと読み出したセッションＩＤを転送する（ｄ７２）。
【０２３５】
告知配信サーバ８１ａは、受信したセッションＩＤのセッションが確立中であるかを判断する（ｄ７３）。
【０２３６】
告知配信サーバ８１ａは、セッションが未確立である場合、受信した配信データＨＤｎを視聴者端末４０ｎに配信することができないので、配信データＨＤｎに含まれる告知ＩＤと配信先視聴者ＩＤとともに、「配信未完了」の配信状態情報を配信管理サーバ７０に返信する（ｄ７４）。
【０２３７】
配信管理サーバ７０は、受信した告知ＩＤ、配信先視聴者ＩＤ、「配信未完了」の配信状態情報を、データベースサーバ６０のログ更新部１０７に転送する（ｄ７５）。
【０２３８】
ログ更新部１０７は、受信した告知ＩＤと配信先視聴者ＩＤでサーバメモリ２０４のログリストＧＴから該当のログデータＧｎを検出し、配信状態情報が「配信未完了」であるので、配信状況欄に「配信未完了」を設定する（ｄ７６）。
【０２３９】
一方、図２２に示すように、告知配信サーバ８１ａは、セッションが確立中である場合、受信した配信データＨＤｎを視聴者端末４０ｎの配信情報受信部４４に配信する（ｄ７７）。
【０２４０】
告知配信サーバ８１ａは、配信データＨＤｎに含まれる告知ＩＤと配信先視聴者ＩＤとともに、「配信完了」の配信状態情報を配信管理サーバ７０に返信する（ｄ７８）。
【０２４１】
配信管理サーバ７０は、受信した告知ＩＤ、配信先視聴者ＩＤ、「配信完了」の配信状態情報を、データベースサーバ６０のログ更新部１０７に転送する（ｄ７９）。
【０２４２】
ログ更新部１０７は、受信した告知ＩＤと配信先視聴者ＩＤで、サーバメモリ２０４のログリストＧＴから該当のログデータＧｎ（告知ＩＤ、配信者ＩＤ、配信先視聴者ＩＤ、配信状況、配信完了日時、視聴者再生回数、最新再生日時、視聴者削除日時）を検出し、配信状態情報が「配信完了」であるので、配信状況欄に「配信完了」を設定し、さらに配信完了日時を設定する（ｄ８０）。
【０２４３】
ログ更新部１０７は、受信した告知ＩＤと配信先視聴者ＩＤで、サーバメモリ２０４の配信リストＤＴから該当の配信データＨＤｎを検出し、削除する（ｄ８１）。
【０２４４】
視聴者端末４０ｎの配信情報受信部４４は、受信した配信データＨＤｎを、端末メモリ４８の配信情報ＨＴに、配信データＨＤｎに含まれる配信者名称の付いたフォルダＦｎを作成して保存する（ｄ８２）。
【０２４５】
一方、視聴者端末４０ｎのタイトル表示部４５は、視聴者が図１５の（ｃ）に示す視聴者端末４０ｎの画面４１に表示された表示ボタンＢ４をタップしたことを示す表示タップ信号を受信し、端末メモリ４８の配信情報ＨＴの各フォルダＦｎに保存された配信データＨＤｎを、図１６の（ｅ）や（ｆ）に示すように、画面４１に表示する（ｄ８３）。
【０２４６】
視聴者端末４０ｎのタイトル削除部４６は、たとえば図１６の（ｅ）に示す画面４１で、視聴者が告知タイトルＴａ１、Ｔａ２の横に表示された削除ボタンＢ６のいずれかをタップしたことを示す削除タップ信号を受信する（ｄ８４）。
【０２４７】
タイトル削除部４６は、削除ボタンＢ６をタップされた告知タイトルＴａ１、Ｔａ２の告知ＩＤ、配信者ＩＤから、対応する配信情報ＨＴのフォルダＦｎに保存された配信データＨＤｎを検出し、削除する（ｄ８５）。
【０２４８】
タイトル削除部４６は、削除した配信データＨＤｎの告知ＩＤと配信先視聴者ＩＤ（視聴者自身の視聴者ＩＤ）とともに、告知削除通知を配信管理サーバ７０に送信する（ｄ８６）。
【０２４９】
配信管理サーバ７０は、受信した告知ＩＤと配信先視聴者ＩＤとともに、告知削除通知をデータベースサーバ６０のログ更新部１０７に転送する（ｄ８７）。
【０２５０】
ログ更新部１０７は、受信した告知ＩＤと配信先視聴者ＩＤで、サーバメモリ２０４のログリストＧＴから該当のログデータＧｎを検出し、視聴者削除日時を設定する（ｄ８８）。
なお、データベースサーバ６０の配信データ抽出部１０５、タイトル配信部１０６、およびログ更新部１０７と、視聴者端末４０ｎの配信情報受信部４４、タイトル表示部４５、およびタイトル削除部４６の詳細な処理については、フローチャートを参照しながら後述する。
【０２５１】
（キ）プル方式詳細情報配信工程
プル方式詳細情報配信工程は、視聴者が視聴者端末４０ｎの画面４１に表示されたタイトルを選択して、配信用クラウド１０にアクセスすることで、配信用クラウド１０から詳細情報ＭＳｎをプル方式で配信させる工程である。
【０２５２】
本発明の配信用クラウド１０では、配信詳細情報ＭＳｎがテキストのように低容量の場合と、動画のように大容量の場合の２系統の配信経路を備えている。
【０２５３】
図２３に、配信詳細情報ＭＳｎがテキストのように低容量の場合のシーケンスを示す。
【０２５４】
図２３に示すように、視聴者端末４０ｎのコンテンツ取得部４７は、たとえば図１６の（ｈ）に示す画面４１で、視聴者が告知タイトルＴｂ１をタップしたことを示すタイトルタップ信号を受信する（ｄ８９）。
【０２５５】
コンテンツ取得部４７は、タップされたタイトルの配信データＨＤｎに含まれるコンテンツ種別、告知ＩＤおよび配信先視聴者ＩＤ（視聴者自身の視聴者ＩＤ）と、データ通信のための使用中の視聴者端末アドレスによって、配信管理サーバ７０に詳細情報要求を送信する（ｄ９０）。
【０２５６】
配信管理サーバ７０は、受信した配信先視聴者ＩＤとコンテンツ種別で、視聴者別配信サーバリストＣＳｎを検索し、割り当てられたコンテンツ配信サーバアドレスを読み出す（ｄ９１）。
【０２５７】
図２３では、コンテンツ種別が低容量（テキスト）であるから、低容量コンテンツ配信サーバアドレスが読み出されている。
【０２５８】
配信管理サーバ７０は、読み出した低容量コンテンツ配信サーバアドレスで、低容量コンテンツ配信サーバ６２ａに対して、受信した告知ＩＤと配信先視聴者ＩＤ、並びに視聴者端末アドレスを送信する（ｄ９２）。
【０２５９】
低容量コンテンツ配信サーバ６２ａは、受信した告知ＩＤと配信先視聴者ＩＤで、データベースサーバ６０のテキスト送信部１１１に詳細情報要求を送信する（ｄ９３）。
【０２６０】
テキスト送信部１１１は、受信した告知ＩＤで、サーバメモリ２０４に保存されたテキストの詳細情報ＭＳｎを検索して、読み出す（ｄ９４）。
【０２６１】
テキスト送信部１１１は、読み出したテキストの詳細情報ＭＳｎを、受信していた告知ＩＤと配信先視聴者ＩＤとともに、低容量コンテンツ配信サーバ６２ａに返信する（ｄ９５）。
【０２６２】
低容量コンテンツ配信サーバ６２ａは、受信したテキストの詳細情報ＭＳｎを、配信管理サーバ７０から受信していた視聴者端末アドレスによって、視聴者端末４０ｎのコンテンツ取得部４７に送信する（ｄ９６）。
【０２６３】
コンテンツ取得部４７は、受信したテキストの詳細情報ＭＳｎを、図１６の（ｉ）に示すように、告知タイトルＴｂ１の告知コンテンツＣｂ１として、画面４１に表示する（ｄ９７）。
【０２６４】
低容量コンテンツ配信サーバ６２ａは、テキストの詳細情報ＭＳｎの送信を完了すると、受信していた告知ＩＤと配信先視聴者ＩＤとともに、送信完了通知を配信管理サーバ７０に送信する（ｄ９８）。
【０２６５】
配信管理サーバ７０は、告知ＩＤと配信先視聴者ＩＤとともに送信完了通知を受信すると、受信した告知ＩＤと配信先視聴者ＩＤとともに、「詳細情報再生」の配信状態情報を、データベースサーバ６０のログ更新部１０７に送信して、ログ更新を要求する（ｄ９９）。
【０２６６】
ログ更新部１０７は、受信した告知ＩＤと配信先視聴者ＩＤで、サーバメモリ２０４のログリストＧＴから該当のログデータＧｎを検出し、最新再生日時と視聴者再生回数を設定する（ｄ１００）。
【０２６７】
次に、図２４に、配信詳細情報ＭＳｎが動画のように大容量の場合のシーケンスを示す。
【０２６８】
図２４に示すように、視聴者端末４０ｎのコンテンツ取得部４７は、たとえば図１６の（ｈ）に示す画面４１で、視聴者が告知タイトルＴｂ１をタップしたことを示すタイトルタップ信号を受信する（ｄ１０１）。
【０２６９】
コンテンツ取得部４７は、タップされたタイトルの配信データＨＤｎに含まれるコンテンツ種別、告知ＩＤおよび配信先視聴者ＩＤ（視聴者自身の視聴者ＩＤ）と、データ通信のための使用中の視聴者端末アドレスによって、配信管理サーバ７０に詳細情報要求を送信する（ｄ１０２）。
【０２７０】
配信管理サーバ７０は、受信した配信先視聴者ＩＤとコンテンツ種別で、視聴者別配信サーバリストＣＳｎ（視聴者ＩＤ、セッションＩＤ、告知配信サーバアドレス、低容量コンテンツ配信サーバアドレス、大容量コンテンツ配信サーバアドレス）を検索し、割り当てられたコンテンツ配信サーバアドレスを読み出す（ｄ１０３）。
【０２７１】
図２４では、コンテンツ種別が大容量（動画）であるから、大容量コンテンツ配信サーバアドレスが読み出されている。
【０２７２】
配信管理サーバ７０は、読み出した大容量コンテンツ配信サーバアドレスで、大容量コンテンツ配信サーバ６３ａに対して、受信した告知ＩＤと配信先視聴者ＩＤ、並びに視聴者端末アドレスを送信する（ｄ１０４）。
【０２７３】
大容量コンテンツ配信サーバ６３ａは、受信した告知ＩＤと配信先視聴者ＩＤで、ストレージサーバ６１の動画送信部１１３に詳細情報要求を送信する（ｄ１０５）。
【０２７４】
動画送信部１１３は、受信した告知ＩＤで、ストレージ３０１に保存された動画の詳細情報ＭＳｎを検索して、読み出す（ｄ１０６）。
【０２７５】
動画送信部１１３は、読み出した動画の詳細情報ＭＳｎを、受信していた告知ＩＤと配信先視聴者ＩＤとともに、大容量コンテンツ配信サーバ６３ａに返信する（ｄ１０７）。
【０２７６】
大容量コンテンツ配信サーバ６３ａは、受信した動画の詳細情報ＭＳｎを、配信管理サーバ７０から受信していた視聴者端末アドレスによって、視聴者端末４０ｎのコンテンツ取得部４７に送信する（ｄ１０８）。
【０２７７】
コンテンツ取得部４７は、受信した動画の詳細情報ＭＳｎを、図１６の（ｉ）に示すように、告知タイトルＴｂ１の告知コンテンツＣｂ１として、画面４１に再生する（ｄ１０９）。
【０２７８】
大容量コンテンツ配信サーバ６３ａは、動画の詳細情報ＭＳｎの送信を完了すると、受信していた告知ＩＤと配信先視聴者ＩＤとともに、送信完了通知を配信管理サーバ７０に送信する（ｄ１１０）。
【０２７９】
配信管理サーバ７０は、告知ＩＤと配信先視聴者ＩＤとともに送信完了通知を受信すると、受信した告知ＩＤと配信先視聴者ＩＤとともに、「詳細情報再生」の配信状態情報を、データベースサーバ６０のログ更新部１０７に送信して、ログ更新を要求する（ｄ１１１）。
【０２８０】
ログ更新部１０７は、受信した告知ＩＤと配信先視聴者ＩＤで、サーバメモリ２０４のログリストＧＴから該当のログデータＧｎを検出し、最新再生日時と視聴者再生回数を設定する（ｄ１１２）。
【０２８１】
なお、視聴者端末４０ｎのコンテンツ取得部４７の詳細な処理については、フローチャートを参照しながら後述する。
【０２８２】
シーケンスを参照しながら、告知配信システム全体としての流れについて上述したが、本発明の特徴となる処理手段について、フローチャートを参照しながら、さらに詳細を説明する。
【０２８３】
（本発明の第１の実施の形態における処理手段の詳細な説明）
（データベースサーバ６０の配信者設定部１１０）
まず、図２０のシーケンスに示した、配信者選択および表示条件設定工程で機能する、データベースサーバ６０の配信者設定部１１０について、図２５のフローチャートを参照しながら、詳細処理を説明する。
【０２８４】
配信者設定部１１０は、視聴者端末４０ｎの表示設定部４３からの配信者選択フォーマットの要求を、配信管理サーバ７０経由で受信する（Ｓ１１）。
【０２８５】
配信者設定部１１０は、配信者情報データベース２０１に保存された配信者登録情報Ｈｎ（配信者ＩＤ、配信者名称、配信者パスワード、告知表示色、アイコン画像ＩＤ、アイコン画像）を読み出す（Ｓ１２）。
【０２８６】
図３（ａ）に示してように、配信者登録情報Ｈｎには、全ての配信者の配信者ＩＤと配信者名称が一覧となって登録されていて、配信者設定部１１０は、配信者登録情報Ｈｎ（配信者ＩＤ、配信者名称、配信者パスワード、告知表示色、アイコン画像ＩＤ、アイコン画像）に登録されたこれら全ての配信者ＩＤと配信者名称を設定した配信者選択フォーマットを作成する（Ｓ１３）。
【０２８７】
配信者選択フォーマットは、図４（ｂ）に示した配信者選択リストＬＣｎ（視聴者ＩＤ、配信者ＩＤ、配信者名称、配信選択（不要、希望）、配信日時）と同じ様式であり、配信者選択フォーマットを要求してきた視聴者の視聴者ＩＤが第ｎの視聴者ＩＤに設定され、さらに、配信者登録情報Ｈｎに登録された全ての配信者ＩＤと配信者名称を、順に、第１の配信者ＩＤと第１の配信者名称、第２の配信者ＩＤと第２の配信者名称、・・・、第ｎの配信者ＩＤと第ｎの配信者名称に設定されて作成される。
【０２８８】
配信者設定部１１０は、作成した配信者選択フォーマットを、配信管理サーバ７０を経由して視聴者端末４０ｎに送信する（Ｓ１４）。
【０２８９】
図２０のｄ６０とｄ６１で上述したように、視聴者端末４０ｎの表示設定部４３は、配信者選択フォーマットを受信すると、図１５の（ｄ）に示すように、視聴者端末４０ｎの画面４１に配信者別設定情報ＨＳｎ（視聴者ＩＤ、配信者ＩＤ、配信者名称、配信選択（不要、希望）、配信期間）の設定画面として表示し、視聴者に各配信者について、配信選択の不要・希望と、希望する場合、配信期間として常時、または配信開始日時と配信終了日時を設定させ、端末メモリ４８に保存し、設定された配信者別設定情報ＨＳｎ（視聴者ＩＤ、配信者ＩＤ、配信者名称、配信選択（不要、希望）、配信期間）を配信管理サーバ７０に送信する。
【０２９０】
配信者設定部１１０は、視聴者が配信者選択フォーマットに配信者選択および表示条件を設定した配信者別設定情報ＨＳｎ（視聴者ＩＤ、配信者ＩＤ、配信者名称、配信選択（不要、希望）、配信期間）を、配信管理サーバ７０を経由して受信する（Ｓ１５）。
【０２９１】
配信者設定部１１０は、受信した配信者別設定情報ＨＳｎ（視聴者ＩＤ、配信者ＩＤ、配信者名称、配信選択（不要、希望）、配信期間）を、視聴者情報データベース２０２の配信者選択リストＬＣｎに追加する（Ｓ１６）。
【０２９２】
配信者設定部１１０は、追加した配信者選択リストＬＣｎ（視聴者ＩＤ、配信者ＩＤ、配信者名称、配信選択（不要、希望）、配信日時）の各配信者に関するデータを、順に１レコード読み出す（Ｓ１７）。
【０２９３】
つまり、１回目の処理では第１の配信者ＩＤについて設定されたレコード、２回目の処理では第２の配信者ＩＤについて設定されたレコード、・・・、ｎ回目の処理では第ｎの配信者ＩＤについて設定されたレコードと、処理が繰り返されるごとに、１レコードずつ読み出す。
【０２９４】
配信者設定部１１０は、当該配信者の配信選択が不要か希望か判定する（Ｓ１８）。
【０２９５】
配信者設定部１１０は、当該配信者の配信選択が希望である場合は、配信者情報データベース２０１で当該配信者の配信者ＩＤで関連付けられている、図３の（ｂ）に示した配信者別配信先リストＬＨｎを検索し、配信者選択リストＬＣｎ（視聴者ＩＤ、配信者ＩＤ、配信者名称、配信選択（不要、希望）、配信日時）に設定された視聴者ＩＤを配信先視聴者ＩＤとして追加し、読み出したレコードの配信期間のデータをコピーして設定する（Ｓ１９）。
【０２９６】
配信者設定部１１０は、次のレコードはあるか判定し、ある場合は、Ｓ１７の処理に戻り、ない場合は、処理を終了する（Ｓ２０）。
【０２９７】
配信者設定部１１０の処理により、図５に示した配信者別配信先リストＬＨｎ（配信者ＩＤ、配信期間）と配信者選択リストＬＣｎ（視聴者ＩＤ、配信者ＩＤ、配信者名称、配信選択（不要、希望）、配信日時）の関連付けが行われる。
【０２９８】
たとえば、図５に示した配信者選択リストＬＣ１では、配信者別配信先リストＬＨ１、配信者別配信先リストＬＨ２、および配信者別配信先リストＬＨｎの配信者が配信希望と選択されていて、配信者選択リストＬＣ２では、配信者別配信先リストＬＨ２の配信者のみ、配信者選択リストＬＣｎでは、配信者別配信先リストＬＨｎの配信者のみが配信希望と選択されていることがわかる。
【０２９９】
逆に、配信者別配信先リストＬＨ１には配信者選択リストＬＣ１の視聴者ＩＤのみ、配信者別配信先リストＬＨ２には配信者選択リストＬＣ１と配信者選択リストＬＣ２の視聴者ＩＤ、配信者別配信先リストＬＨｎには配信者選択リストＬＣ１と配信者選択リストＬＣｎの視聴者ＩＤがそれぞれ配信先視聴者ＩＤとして設定されている。
【０３００】
各配信者の告知情報Ｍｎは、各配信者別配信先リストＬＨ１、ＬＨ２、・・・、ＬＨｎに設定された配信先視聴者ＩＤの視聴者にのみ配信されることになる。
【０３０１】
（データベースサーバ６０の配信データ抽出部１０５）
次に、図２１のシーケンスに示した、告知基本情報抽出工程で告知基本情報ＭＫｎ（告知ＩＤ、配信者ＩＤ、配信者名称、アイコン画像ＩＤ、アイコン画像、告知表示色、タイトル、コンテンツ種別、配信時期、配信指定日時）の抽出を行なう、データベースサーバ６０の配信データ抽出部１０５について、図２６のフローチャートを参照しながら、詳細処理を説明する。
【０３０２】
配信データ抽出部１０５は、データベースサーバ６０に内蔵のタイマー（図示せず）で時間計測をして、予め設定された一定時間の待ち状態ののち、以下の処理を繰り返し開始する（Ｓ２１）。
【０３０３】
配信データ抽出部１０５は、一定時間の間に新たにサーバメモリ２０４に保存された告知基本情報ＭＫｎ（告知ＩＤ、配信者ＩＤ、配信者名称、アイコン画像ＩＤ、アイコン画像、告知表示色、タイトル、コンテンツ種別、配信時期、配信指定日時）を順に読み出す（Ｓ２２）。
【０３０４】
つまり、図６に示した、告知基本情報ＭＫ１、告知基本情報ＭＫ２、告知基本情報ＭＫ３、・・・を１つずつ読み出しては、読み出した告知基本情報ＭＫｎについて以下の処理を行なう。
【０３０５】
配信データ抽出部１０５は、告知基本情報ＭＫｎ（告知ＩＤ、配信者ＩＤ、配信者名称、アイコン画像ＩＤ、アイコン画像、告知表示色、タイトル、コンテンツ種別、配信時期、配信指定日時）の配信時期のデータが「１：日時指定」である場合、つまり配信指定日時が設定されている場合、告知基本情報ＭＫｎの配信指定日時を読み出す（Ｓ２３）。
【０３０６】
配信データ抽出部１０５は、告知基本情報ＭＫｎ（告知ＩＤ、配信者ＩＤ、配信者名称、アイコン画像ＩＤ、アイコン画像、告知表示色、タイトル、コンテンツ種別、配信時期、配信指定日時）に設定された配信者ＩＤを読み出す（Ｓ２４）。
【０３０７】
配信データ抽出部１０５は、当該配信者ＩＤで、配信者情報データベース２０１に保存された配信者別配信先リストＬＨｎ（配信者ＩＤ、配信先視聴者ＩＤ、配信期間）を検索する（Ｓ２５）。
【０３０８】
配信データ抽出部１０５は、該当の配信者別配信先リストＬＨｎに設定された１レコード（配信先視聴者ＩＤと配信期間）を順に読み出す（Ｓ２６）。
【０３０９】
つまり、１回目の処理では第１の配信先視聴者ＩＤと配信期間、２回目の処理では第２の配信先視聴者ＩＤと配信期間、・・・、ｎ回目の処理では第ｎの配信先視聴者ＩＤと配信期間と、処理が繰り返されるごとに、１レコードずつ読み出す。
【０３１０】
配信データ抽出部１０５は、読み出したレコードに含まれる配信期間と、現在の日時、または告知基本情報ＭＫｎから読み出した配信指定日時がある場合は、当該配信指定日時を比較して、配信期間内であるか判定する（Ｓ２７）。
【０３１１】
配信データ抽出部１０５は、配信期間内である場合のみ、読み出した告知基本情報ＭＫｎ（告知ＩＤ、配信者ＩＤ、配信者名称、アイコン画像ＩＤ、アイコン画像、告知表示色、タイトル、コンテンツ種別、配信時期、配信指定日時）に読み出したレコードに含まれる配信先視聴者ＩＤを追加して配信データＨＤｎ（告知ＩＤ、配信者ＩＤ、配信先視聴者ＩＤ、配信者名称、アイコン画像、告知表示色、タイトル、コンテンツ種別、配信時期、配信指定日時）を作成し、サーバメモリ２０４の配信リストＤＴに保存する（Ｓ２８）。
【０３１２】
つまり、読み出したレコードに含まれる配信先視聴者ＩＤの視聴者が、配信を希望している配信期間に達している告知情報Ｍｎのみが抽出されて、当該視聴者への配信データＨＤｎとなる。
【０３１３】
なお、配信期間には、常時か、開始日時および終了日時が設定されているので、常時の場合は、常に配信期間内として扱われる。
【０３１４】
配信データ抽出部１０５は、該当の配信者別配信先リストＬＨｎ（配信者ＩＤ、配信先視聴者ＩＤ、配信期間）に次のレコードはあるか判定し、ある場合は、Ｓ２６の処理に戻る（Ｓ２９）。
【０３１５】
配信データ抽出部１０５は、配信者別配信先リストＬＨｎ（配信者ＩＤ、配信先視聴者ＩＤ、配信期間）の全レコードについてＳ２７とＳ２８の処理を行なうと、サーバメモリ２０４に次の告知基本情報ＭＫｎがあるか判定し、ある場合は、Ｓ２２の処理に戻り、ない場合は、一旦処理を終了してＳ２１の待ち状態に遷移する（Ｓ３０）。
【０３１６】
（データベースサーバ６０のタイトル配信部１０６）
次に、図２１のシーケンスに示した、プッシュ方式告知基本情報配信工程で告知基本情報ＭＫｎ（告知ＩＤ、配信者ＩＤ、配信者名称、アイコン画像ＩＤ、アイコン画像、告知表示色、タイトル、コンテンツ種別、配信時期、配信指定日時）の配信を行なう、データベースサーバ６０のタイトル配信部１０６について、図２７のフローチャートを参照しながら、詳細処理を説明する。
【０３１７】
タイトル配信部１０６は、データベースサーバ６０に内蔵のタイマー（図示せず）で時間計測をして、予め設定された一定時間の待ち状態ののち、以下の処理を繰り返し開始する（Ｓ３１）。
【０３１８】
タイトル配信部１０６は、配信データ抽出部１０５によってサーバメモリ２０４に保存された、配信リストＤＴの配信データＨＤｎ（告知ＩＤ、配信者ＩＤ、配信先視聴者ＩＤ、配信者名称、アイコン画像、告知表示色、タイトル、コンテンツ種別、配信時期、配信指定日時）を順に読み出す（Ｓ３２）。
【０３１９】
つまり、図７に示した配信リストＤＴでは、１回目の処理では配信データＨＤ１、２回目の処理では配信データＨＤ２と、処理が繰り返されるごとに、１データずつ読み出す。
【０３２０】
タイトル配信部１０６は、読み出した配信データＨＤｎの配信時期のデータが「１：日時指定」である場合、つまり配信指定日時が設定されている場合、設定された配信指定日時を読み出す（Ｓ３３）。
【０３２１】
タイトル配信部１０６は、現在の日時と、読み出した配信指定日時を比較して、配信指定日時以降か判定し、配信指定日時に達していない場合は、Ｓ３２に戻り、次の配信データＨＤｎを読み出す（Ｓ３４）。
【０３２２】
なお、この判定処理で、配信時期のデータが「０：通常」である場合は、配信指定日時以降であると判定する。
【０３２３】
タイトル配信部１０６は、配信時期のデータが「０：通常」である場合や、現在の日時が配信指定日時以降である場合、配信データＨＤｎを配信管理サーバ７０に送信する（Ｓ３５）。
【０３２４】
タイトル配信部１０６は、配信データＨＤｎに含まれる告知ＩＤと配信先視聴者ＩＤをキーに、当該配信データＨＤｎに対応するログデータＧｎを、サーバメモリ２０４のログリストＧＴ内で検索する（Ｓ３６）。
【０３２５】
タイトル配信部１０６は、該当するログデータＧｎはあるか判定する（Ｓ３７）。
【０３２６】
タイトル配信部１０６は、該当するログデータＧｎがない、つまり初めて当該配信データＨＤｎが送信される場合、当該配信データＨＤｎの告知ＩＤ、配信者ＩＤおよび配信先視聴者ＩＤと、配信状況欄に「配信中」と設定した、当該配信データＨＤｎに対応するログデータＧｎを作成し、サーバメモリ２０４のログリストＧＴに保存する（Ｓ３８）。
【０３２７】
タイトル配信部１０６は、次の配信データＨＤｎはあるか判定し、ある場合は、Ｓ３２に戻り、次の配信データＨＤｎを読み出し、ない場合は、一旦処理を終了してＳ３１の待ち状態に遷移する（Ｓ３９）。
【０３２８】
上述したタイトル配信部１０６の処理によって、配信者が告知情報Ｍｎを登録した直後ではなく、特定の日時に達したときに、登録しておいた告知情報Ｍｎを配信するようにすることを、配信者に選択可能としている。
【０３２９】
（視聴者端末４０ｎの配信情報受信部４４）
次に、図２２のシーケンスに示した、プッシュ方式告知基本情報配信工程で、データベースサーバ６０のタイトル配信部１０６から配信される告知基本情報ＭＫｎを含む配信データＨＤｎを、告知配信サーバ８１ａから受信して、端末メモリ４８に保存する視聴者端末４０ｎの配信情報受信部４４について、図２８のフローチャートを参照しながら、詳細処理を説明する。
【０３３０】
配信情報受信部４４は、視聴者端末４０ｎのセッション確立部４２によって、図１８と図１９のシーケンスに示したように、配信データＨＤｎに含まれる配信先視聴者ＩＤの視聴者に割り当てられた告知配信サーバ８１ａとセッションを確立した状態で、データベースサーバ６０のタイトル配信部１０６から配信される配信データＨＤｎを、告知配信サーバ８１ａから受信する（Ｓ４１）。
【０３３１】
配信情報受信部４４は、受信した配信データＨＤｎに含まれる配信者名称を読み出す（Ｓ４２）。
【０３３２】
配信情報受信部４４は、端末メモリ４８の配信情報ＨＴｎ内で、読み出した配信者名称を付したフォルダＦｎを検索する（Ｓ４３）。
【０３３３】
配信情報受信部４４は、検索の結果、読み出した配信者名称を付したフォルダＦｎがあるか判定する（Ｓ４４）。
【０３３４】
配信情報受信部４４は、該当するフォルダＦｎ（たとえば、読み出した配信者名称がＡ地区の場合、Ａ地区フォルダＦ１）がある場合、配信データＨＤｎに未読フラグ「１」を追加し、該当フォルダＦｎ（たとえば、Ａ地区フォルダＦ１）に保存する（Ｓ４５）。
【０３３５】
配信情報受信部４４は、配信データＨＤｎを保存したフォルダＦｎ（たとえば、Ａ地区フォルダＦ１）のフォルダ内配信データ未読数を１加算する（Ｓ４６）。
【０３３６】
一方、配信情報受信部４４は、該当するフォルダＦｎがない場合、配信者名称を付したフォルダＦｎ（たとえば、読み出した配信者名称がＢ地区の場合、Ｂ地区フォルダＦ２）を、端末メモリ４８の配信情報ＨＴｎ内に生成する（Ｓ４７）。
【０３３７】
配信情報受信部４４は、配信データＨＤｎに未読フラグ「１」を追加し、生成したフォルダＦｎ（たとえば、Ｂ地区フォルダＦ２）に保存する（Ｓ４８）。
【０３３８】
配信情報受信部４４は、配信データＨＤｎを保存したフォルダＦｎ（たとえば、Ｂ地区フォルダＦ２）のフォルダ内配信データ未読数を１加算する（Ｓ４９）。
【０３３９】
なお、配信情報受信部４４は、配信データＨＤｎを保存する際に、配信データＨＤｎに受信時刻を追加する。
【０３４０】
配信情報受信部４４は、視聴者が配信希望と選択した配信者から、初めて告知基本情報ＭＫｎを受信したときに、配信者名称を付したフォルダＦｎを、端末メモリ４８の配信情報ＨＴｎ内に生成することで、複数の配信者からランダムに受信する告知基本情報ＭＫｎを、配信者別に分類して保存している。
【０３４１】
（視聴者端末４０ｎのタイトル表示部４５）
次に、図２２のシーケンスに示した、プッシュ方式告知基本情報配信工程で、視聴者端末４０ｎの配信情報受信部４４によって、端末メモリ４８に保存された告知基本情報ＭＫｎを含む配信データＨＤｎを、視聴者端末４０ｎの画面４１に表示する、視聴者端末４０ｎのタイトル表示部４５について、図２９のフローチャートを参照しながら、詳細処理を説明する。
【０３４２】
タイトル表示部４５は、図１５の（ｃ）に示した画面４１で、表示ボタンＢ４がタップされると、画面４１から表示タップ信号を受信する（Ｓ５１）。
【０３４３】
タイトル表示部４５は、端末メモリ４８から配信情報ＨＴｎを読み出す（Ｓ５２）。
【０３４４】
タイトル表示部４５は、各フォルダＦｎに対応した配信者名称を付したタブＴＧｎを生成し、画面４１に表示する（Ｓ５３）。
【０３４５】
タイトル表示部４５は、各フォルダＦｎのフォルダ内配信データ未読数を、未読数として画面４１の各タブＴＧｎに表示した配信者名称の横などに表示する（Ｓ５４）。
【０３４６】
タイトル表示部４５は、最初のフォルダＦ１内に保存された配信データＨＤｎに含まれるタイトルを、配信データＨＤｎに含まれる告知表示色に従って、該当タブＴＧｎのエリアに一覧表示する（Ｓ５５）。
【０３４７】
タイトル表示部４５は、画面４１からタブ選択タップ信号を受信する（Ｓ５６）。
【０３４８】
タイトル表示部４５は、選択されたタブＴＧｎに該当するフォルダＦｎ内に保存された配信データＨＤｎに含まれるタイトルを、配信データＨＤｎに含まれる告知表示色に従って、当該タブＴＧｎのエリアに一覧表示する（Ｓ５７）。
【０３４９】
なお、タイトル表示部４５は、タイトルを表示する際に、配信データＨＤｎの受信時刻も表示する。
【０３５０】
図１６を参照しながら、画面４１の表示の変化を説明する。
【０３５１】
視聴者端末４０ｎの配信情報受信部４４が、配信者名称がＡ地区の配信者のみから、告知基本情報ＭＫｎを含む配信データＨＤｎを受信した状態では、端末メモリ４８の配信情報ＨＴｎにはＡ地区フォルダＦ１のみが生成されている。
【０３５２】
たとえば、Ａ地区フォルダＦ１には２個の配信データＨＤｎが保存されているとする。
【０３５３】
この時、タイトル表示部４５のステップＳ５３からＳ５５の処理によって、図１６の（ｅ）に示した画面イメージが表示される。
【０３５４】
すなわち、配信者名称のＡ地区と記されたタブＴＧａが表示され、タブＴＧａ内に未読数が（２）と表示される。
【０３５５】
Ａ地区フォルダＦ１には保存された２個の配信データＨＤｎに含まれるタイトルは、それぞれ告知タイトルＴａ１、告知タイトルＴａ２として、タブＴＧａのエリアに一覧表示される。
【０３５６】
告知タイトルＴａ１、告知タイトルＴａ２、またはタブＴＧａのエリアが、配信データＨＤｎに含まれる配信者が登録した告知表示色で表示される。
【０３５７】
それぞれの告知タイトルＴａ１、告知タイトルＴａ２には、削除ボタンＢ６が表示される。
【０３５８】
また、配信データＨＤｎに含まれるアイコン画像が、タブＴＧａのエリアにアイコンＭａとして表示される。
【０３５９】
なお、アイコン画像は配信データＨＤｎに含まれるので、それぞれの告知タイトルＴａ１、告知タイトルＴａ２に表示することも可能である。
【０３６０】
ここで、視聴者端末４０ｎの配信情報受信部４４が、配信者名称がＢ地区の配信者から、告知基本情報ＭＫｎを含む配信データＨＤｎを受信した場合、端末メモリ４８の配信情報ＨＴｎにはＢ地区フォルダＦ２が生成され、受信した配信データＨＤｎが保存される。
【０３６１】
作成されたＢ地区フォルダＦ２には、フォルダ内配信データ未読数＝１が設定される。
【０３６２】
この時、タイトル表示部４５のステップＳ５３からＳ５５の処理によって、図１６の（ｆ）に示した画面イメージが表示される。
【０３６３】
すなわち、配信者名称のＡ地区と記されたタブＴＧａの次に、Ｂ地区と記されたタブＴＧｂが表示され、タブＴＧｂ内に未読数が（１）と表示される。
【０３６４】
ここで、視聴者がＢ地区と記されたタブＴＧｂをタップすると、タイトル表示部４５のステップＳ５６とＳ５７の処理によって、図１６の（ｆ）に示した画面イメージに変化する。
【０３６５】
すなわち、タブＴＧｂのエリアが最前面に表示され、Ｂ地区フォルダＦ２に保存された配信データＨＤｎに含まれるタイトルが、告知タイトルＴｂ１として削除ボタンＢ６とともに表示される。
【０３６６】
Ｂ地区フォルダＦ２に保存された配信データＨＤｎに含まれるアイコン画像が、タブＴＧｂのエリアにアイコンＭｂとして表示される。
【０３６７】
Ｂ地区フォルダＦ２に保存された配信データＨＤｎに含まれる告知表示色は、Ａ地区フォルダＦ１に保存された配信データＨＤｎに含まれる告知表示色と異なるので、図１６の（ｆ）に示したように、告知タイトルＴｂ１、またはタブＴＧｂのエリアは、告知タイトルＴａ１、告知タイトルＴａ２、またはタブＴＧａのエリアの表示色と違った、Ｂ地区フォルダＦ２に保存された配信データＨＤｎに含まれる告知表示色で表示される。
【０３６８】
また、配信データＨＤｎに含まれるタイトルを色表示する際は、配信データＨＤｎに追加されている未読フラグの値によって、「１（未読）」の場合は濃く、「０（既読）」の場合は淡く色表示することが好ましい。
【０３６９】
（視聴者端末４０ｎのタイトル削除部４６）
次に、図２２のシーケンスに示した、プッシュ方式告知基本情報配信工程で、視聴者端末４０ｎのタイトル表示部４５によって、視聴者端末４０ｎの画面４１に表示されたタイトルを削除する、視聴者端末４０ｎのタイトル削除部４６について、図３０のフローチャートを参照しながら、詳細処理を説明する。
【０３７０】
図１６の（ｆ）や（ｈ）に示した画面イメージのように、各告知タイトルＴａ１、Ｔａ２、Ｔｂ１には削除ボタンＢ６が表示される。
【０３７１】
タイトル削除部４６は、視聴者がいずれかの削除ボタンＢ６をタップすると、画面４１から削除タップ信号を受信する（Ｓ６１）。
【０３７２】
タイトル削除部４６は、タップされた削除ボタンＢ６のあるタイトルの配信者名称または配信者ＩＤから、端末メモリ４８の配信情報ＨＴｎ内の対応するフォルダＦｎを検出し、該当のタイトルの告知ＩＤから、当該フォルダＦｎに保存された配信データＨＤｎを検出する（Ｓ６２）。
【０３７３】
タイトル削除部４６は、検出した配信データＨＤｎに追加された未読フラグの値を判定する（Ｓ６３）。
【０３７４】
タイトル削除部４６は、検出した配信データＨＤｎの未読フラグの値が「１（未読）」である場合、該当のフォルダＦｎのフォルダ内配信データ未読数を１減算する（Ｓ６４）。
【０３７５】
なお、検出した配信データＨＤｎの未読フラグの値が「０（既読）」である場合、視聴者端末４０ｎのコンテンツ取得部４７によって、該当のフォルダＦｎのフォルダ内配信データ未読数は既に１減算されているので、そのままにする。
【０３７６】
タイトル削除部４６は、該当のフォルダＦｎから当該配信データＨＤｎを削除する（Ｓ６５）。
【０３７７】
タイトル削除部４６は、当該配信データＨＤｎの告知ＩＤと視聴者ＩＤで、配信管理サーバ７０に告知削除通知を送信する（Ｓ６６）。
【０３７８】
告知削除通知は、配信管理サーバ７０を経由してデータベースサーバ６０のログ更新部１０７に送信され、ログデータＧｎが更新されることになる。
【０３７９】
図１６の（ｆ）に示した画面イメージで、視聴者が、告知タイトルＴａ１に表示された削除ボタンＢ６をタップすると、タイトル削除部４６によって、告知タイトルＴａ１の配信データＨＤｎが端末メモリ４８から削除されると、図１６の（ｇ）に示した画面イメージのように、告知タイトルＴａ１が消え、告知タイトルＴａ１が未読であった場合、タブＴＧａに表示された未読数（２）が（１）に変化する。
【０３８０】
ここで、未読とは、各タイトルの詳細情報ＭＳｎをプル方式で取得していないことをいう。
【０３８１】
（視聴者端末４０ｎのコンテンツ取得部４７）
次に、図２３と図２４のシーケンスに示した、プル方式詳細情報配信工程で、視聴者端末４０ｎのタイトル表示部４５によって、視聴者端末４０ｎの画面４１に表示されたタイトルに関して、詳細情報ＭＳｎを配信用クラウド１０から取得する、視聴者端末４０ｎのコンテンツ取得部４７について、図３１のフローチャートを参照しながら、詳細処理を説明する。
【０３８２】
図１６の（ｈ）に示した画面イメージで、告知タイトルＴｂ１をタップすることで、コンテンツ取得部４７によって、図１６の（ｉ）に示したように、告知タイトルＴｂ１の詳細情報ＭＳｎが告知コンテンツＣｂ１として画面４１に表示・再生されることになる。
【０３８３】
コンテンツ取得部４７は、タイトル表示部４５によって、視聴者が、画面４１に表示された告知タイトルＴａ１、Ｔａ２、Ｔｂ１、・・・のいずれかをタップすると、画面４１からタイトルタップ信号を受信する（Ｓ７１）。
【０３８４】
コンテンツ取得部４７は、タップされたタイトルの配信者名称または配信者ＩＤから、端末メモリ４８の配信情報ＨＴｎ内の対応するフォルダＦｎを検出し、該当のタイトルの告知ＩＤから、当該フォルダＦｎに保存された配信データＨＤｎを検出する（Ｓ７２）。
【０３８５】
コンテンツ取得部４７は、検出した配信データＨＤｎに追加された未読フラグの値を判定する（Ｓ７３）。
【０３８６】
コンテンツ取得部４７は、検出した配信データＨＤｎの未読フラグの値が「１（未読）」である場合、該当のフォルダＦｎのフォルダ内配信データ未読数を１減算する（Ｓ７４）。
【０３８７】
なお、検出した配信データＨＤｎの未読フラグの値が「０（既読）」である場合、当該配信データＨＤｎに含まれる告知基本情報ＭＫｎと同時に登録された詳細情報ＭＳｎを、以前に一度は取得していることになり、該当のフォルダＦｎのフォルダ内配信データ未読数は既に１減算されているので、そのままにする。
【０３８８】
コンテンツ取得部４７は、詳細情報要求のため、当該配信データＨＤｎに含まれるコンテンツ種別、告知ＩＤおよび配信先視聴者ＩＤ、並びに現在視聴者が使用している視聴者端末４０ｎのアドレスを、配信管理サーバ７０に送信する（Ｓ７５）。
【０３８９】
詳細情報要求を受信した配信管理サーバ７０は、コンテンツ種別により、当該視聴者に割り当てられた低容量コンテンツ配信サーバ６２ａまたは大容量コンテンツ配信サーバ６３ａ対して、該当の詳細情報ＭＳｎを検索するキーとして、受信した告知ＩＤおよび配信先視聴者ＩＤを送付するとともに、検索した詳細情報ＭＳｎの配信先として受信した視聴者端末４０ｎのアドレスも送付する。
【０３９０】
低容量コンテンツ配信サーバ６２ａは、受信した告知ＩＤおよび配信先視聴者ＩＤをデータベースサーバ６０のテキスト送信部１１１に送信して、告知ＩＤを含む詳細情報ＭＳｎをサーバメモリ２０４から読み出して返信させ、返信された詳細情報ＭＳｎを、受信した視聴者端末４０ｎのアドレス宛てに送信する。
【０３９１】
同様に、大容量コンテンツ配信サーバ６３ａは、受信した告知ＩＤおよび配信先視聴者ＩＤをストレージサーバ６１の動画送信部１１３に送信して、告知ＩＤを含む詳細情報ＭＳｎをストレージ３０１から読み出して返信させ、返信された詳細情報ＭＳｎを、受信した視聴者端末４０ｎのアドレス宛てに送信する。
【０３９２】
コンテンツ取得部４７は、低容量コンテンツ配信サーバ６２ａまたは大容量コンテンツ配信サーバ６３ａから詳細情報ＭＳｎを受信する（Ｓ７６）。
【０３９３】
コンテンツ取得部４７は、受信した詳細情報ＭＳｎを視聴者端末４０ｎの画面４１に、図１６の（ｆ）に示したように、表示・再生する（Ｓ７７）。
【０３９４】
コンテンツ取得部４７は、詳細情報ＭＳｎを視聴者端末４０ｎの画面４１に表示する際、配信データＨＤｎに設定された告知表示色と同じ色で表示することもできる。
【０３９５】
たとえば告知コンテンツＣｂ１の場合、告知タイトルＴｂ１の配信データＨＤｎに設定された告知表示色と同じ色で表示することもできる。
【０３９６】
（データベースサーバ６０のログ更新部１０７）
次に、図２１と図２２のシーケンスに示したプッシュ方式告知基本情報配信工程、および図２３と図２４のシーケンスに示したプル方式詳細情報配信工程で、データベースサーバ６０のサーバメモリ２０４のログリストＧＴに、データベースサーバ６０のタイトル配信部１０６によって作成されたログデータＧｎを、配信管理サーバ７０から通知される配信状態情報により更新する、データベースサーバ６０のログ更新部１０７について、図３２のフローチャートを参照しながら、詳細処理を説明する。
【０３９７】
ログ更新部１０７は、各種配信サーバから通知される告知基本情報ＭＫｎや詳細情報ＭＳｎの配信の結果と、視聴者端末４０ｎからの告知削除通知を、配信管理サーバ７０を経由して、配信データＨＤｎに含まれる告知ＩＤと配信先視聴者ＩＤとともに、配信状態情報として受信する（Ｓ８１）。
【０３９８】
ログ更新部１０７は、受信した告知ＩＤと配信先視聴者ＩＤをキーとして、サーバメモリ２０４のログリストＧＴ内の該当するログデータＧｎを検出する（Ｓ８２）。
【０３９９】
ログ更新部１０７は、受信した配信状態情報を判定し、内容によって処理を分岐する（Ｓ８３）。
【０４００】
ログ更新部１０７は、配信状態情報が配信未完了の場合、検出したログデータＧｎの配信状況欄に「配信未完了」を設定する（Ｓ８４）。
【０４０１】
ログ更新部１０７は、配信状態情報が配信完了の場合、検出したログデータＧｎの配信状況欄に「配信完了」、配信完了日時欄に現在の日時を設定する（Ｓ８５）。
【０４０２】
ログ更新部１０７は、さらに、受信した告知ＩＤと配信先視聴者ＩＤをキーに、サーバメモリ２０４の配信リストＤＴを検索し、配信が完了して不要となった配信データＨＤｎを削除する（Ｓ８６）。
【０４０３】
ログ更新部１０７は、配信状態情報が詳細情報再生の場合、ログデータＧｎの視聴者再生回数欄の数値を１加算し、最新再生日時欄に現在の日時を設定する（Ｓ８７）。
【０４０４】
ログ更新部１０７は、配信状態情報が告知削除の場合、ログデータＧｎの視聴者削除日時欄に現在の日時を設定する（Ｓ８８）。
【０４０５】
このように、更新されたログデータＧｎは、管理者端末２０によってサーバメモリ２０４から読み出して、配信者ごとの告知情報Ｍｎの参照履歴情報として提供することで、どのような告知情報Ｍｎを視聴者が希望しているかなど、配信者にとって有効な分析に利用することが可能である。
【０４０６】
以上、本発明の第１の実施の形態では、複数の配信者から視聴者端末４０ｎにプッシュ方式で配信されるタイトルを、端末メモリ４８に自動的に各配信者のフォルダＦｎを作成して配信者ごとに分類しながら保存する機能と、視聴者端末４０ｎの画面４１に、フォルダＦｎごとにタブＴＧｎを表示して選択させることで、配信されたタイトルを配信者別に表示する機能が特徴である。
【０４０７】
＜本発明の第２の実施の形態＞
本発明の第２の実施の形態における告知配信システムの構成は、図１に示す第１の実施の形態における告知配信システムの構成と同じである。
【０４０８】
第２の実施の形態では、上述した第１の実施の形態の特徴である、視聴者端末４０ｎの画面４１に、フォルダＦｎごとにタブＴＧｎを表示して選択させることで、配信されたタイトルを配信者別に表示する機能に代わって、または、さらに追加して、配信されたタイトルを配信者別に視聴者が希望する告知表示色によって表示できる。
【０４０９】
以下に、第１の実施の形態と異なり、配信されたタイトルを配信者別に視聴者が希望する告知表示色によって表示するために必要なデータと処理手段について説明する。
【０４１０】
その他のデータと処理手段は、第１の実施の形態と同一であるため、説明は省略する。
【０４１１】
まず、配信されたタイトルを配信者別に視聴者が希望する告知表示色によって表示するために必要なデータについて違いを説明する。
【０４１２】
図３３に示すように、第２の実施の形態における配信者選択リストＬＣｎには、図４の（ｂ）に示した第１の実施の形態における配信者選択リストＬＣｎに、視聴者が配信者ごとに告知表示色選択（初期値［０］または指定色値）を設定する欄を追加している。この指定色値は、例えば赤、ピンク、青、緑等である。
【０４１３】
また、図３４に示すように、第２の実施の形態における配信者別配信先リストＬＨｎには、図３の（ｂ）に示した第１の実施の形態における配信者別配信先リストＬＨｎに、配信者選択リストＬＣｎから、配信者ごと設定された告知表示色選択（初期値［０］または指定色値）をコピーする欄を追加している。
【０４１４】
次に、配信されたタイトルを配信者別に視聴者が希望する告知表示色によって表示するために必要な処理手段の違いについて説明する。
【０４１５】
図２０のシーケンスに示した配信者選択および表示条件設定工程において、第１の実施の形態では、視聴者端末４０ｎの表示設定部４３が、配信者選択フォーマットを受信すると、図１５の（ｄ）に示すように、視聴者端末４０ｎの画面４１に配信者別設定情報ＨＳｎの設定画面として表示し、視聴者に各配信者について、配信選択の不要・希望と、希望する場合、配信期間として常時、または配信開始日時と配信終了日時を設定させ、端末メモリ４８に保存する（ｄ６０）処理を、第２の実施の形態では以下のように変更する。
【０４１６】
すなわち、視聴者端末４０ｎの表示設定部４３は、配信者選択フォーマットを受信すると、図３５に示すように、視聴者端末４０ｎの画面４１に配信者別設定情報ＨＳｎの設定画面として表示し、視聴者に各配信者について、配信選択の不要・希望と、希望する場合、配信期間として常時、または配信開始日時と配信終了日時を設定させ、さらに、配信されたタイトルを配信者が指定した表示色で表示してよい場合は初期値［０］、視聴者が希望する表示色で表示したい場合はその指定色値を、告知表示色選択として設定させ、端末メモリ４８に保存する（ｄ６０）。
【０４１７】
図３５の画面イメージでは、配信者別設定情報ＨＳｎに告知表示色選択の欄が表示されていて、たとえば、配信者名称がＡ地区の配信者については、告知表示色選択として初期値が選択され、配信者名称がＢ地区の配信者については、告知表示色選択として指定色として「赤」が設定されている。
【０４１８】
視聴者端末４０ｎの表示設定部４３で設定された配信者別設定情報ＨＳｎ（視聴者ＩＤ、配信者ＩＤ、配信者名称、配信選択（不要、希望）、配信期間、告知表示色選択）は、データベースサーバ６０の配信者設定部１１０によって、図３３に示した配信者選択リストＬＣｎに保存される。
【０４１９】
さらに、データベースサーバ６０の配信者設定部１１０によって、図３４に示した配信者別配信先リストＬＨｎに設定される。
【０４２０】
（データベースサーバ６０の配信者設定部１１０）
ここで、第２の実施の形態におけるデータベースサーバ６０の配信者設定部１１０について、図３６のフローチャートに示すが、図２５に示した第１の実施の形態におけるデータベースサーバ６０の配信者設定部１１０との違いは、ステップＳ１１９ａが追加されたことである。その他の図３６のＳ１１１からＳ１２０までのステップは、図２５のＳ１１からＳ２０までのステップと同様である。
【０４２１】
配信者設定部１１０は、視聴者端末４０ｎの表示設定部４３からの配信者選択フォーマットの要求を、配信管理サーバ７０経由で受信する（Ｓ１１１）。
【０４２２】
配信者設定部１１０は、配信者情報データベース２０１に保存された配信者登録情報Ｈｎを読み出す（Ｓ１１２）。
【０４２３】
図３（ａ）に示してように、配信者登録情報Ｈｎには、全ての配信者の配信者ＩＤと配信者名称が一覧となって登録されていて、配信者設定部１１０は、配信者登録情報Ｈｎに登録されたこれら全ての配信者ＩＤと配信者名称を設定した配信者選択フォーマットを作成する（Ｓ１１３）。
【０４２４】
配信者選択フォーマットは、図３３に示した配信者選択リストＬＣｎと同じ様式であり、配信者選択フォーマットを要求してきた視聴者の視聴者ＩＤが第ｎの視聴者ＩＤに設定され、さらに、配信者登録情報Ｈｎに登録された全ての配信者ＩＤと配信者名称を、順に、第１の配信者ＩＤと第１の配信者名称、第２の配信者ＩＤと第２の配信者名称、・・・、第ｎの配信者ＩＤと第ｎの配信者名称に設定されて作成される。
【０４２５】
配信者設定部１１０は、作成した配信者選択フォーマットを、配信管理サーバ７０を経由して視聴者端末４０ｎに送信する（Ｓ１１４）。
【０４２６】
上述したように、視聴者端末４０ｎの表示設定部４３は、配信者選択フォーマットを受信すると、図３５に示すように、視聴者端末４０ｎの画面４１に配信者別設定情報ＨＳｎの設定画面として表示し、視聴者に各配信者について、配信選択の不要・希望と、希望する場合、配信期間として常時、または配信開始日時と配信終了日時を設定させ、さらに配信されたタイトルを配信者が指定した表示色で表示してよい場合は初期値［０］を、視聴者が希望する表示色で表示したい場合はその指定色値を告知表示色選択として設定させ、端末メモリ４８に保存し、設定された配信者別設定情報ＨＳｎ（視聴者ＩＤ、配信者ＩＤ、配信者名称、配信選択（不要、希望）、配信期間、告知表示色選択）を配信管理サーバ７０に送信する。
【０４２７】
配信者設定部１１０は、視聴者が配信者選択フォーマットに配信選択および表示条件（配信期間と告知表示色選択）を設定した配信者別設定情報ＨＳｎを、配信管理サーバ７０を経由して受信する（Ｓ１１５）。
【０４２８】
配信者設定部１１０は、受信した配信者別設定情報ＨＳｎを、視聴者情報データベース２０２の配信者選択リストＬＣｎ（視聴者ＩＤ、配信者ＩＤ、配信者名称、配信選択（不要、希望）、配信期間、告知表示色選択）に設定する（Ｓ１１６）。
【０４２９】
配信者設定部１１０は、設定した配信者選択リストＬＣｎの各配信者に関するデータを、順に１レコード読み出す（Ｓ１１７）。
【０４３０】
つまり、１回目の処理では第１の配信者ＩＤについて設定されたレコード、２回目の処理では第２の配信者ＩＤについて設定されたレコード、・・・、ｎ回目の処理では第ｎの配信者ＩＤについて設定されたレコードと、処理が繰り返されるごとに、１レコードずつ読み出す。
【０４３１】
配信者設定部１１０は、当該配信者の配信選択が不要か希望か判定する（Ｓ１１８）。
【０４３２】
配信者設定部１１０は、当該配信者の配信選択が希望である場合は、配信者情報データベース２０１で当該配信者の配信者ＩＤで関連付けられている、図３４に示した配信者別配信先リストＬＨｎを検索し、配信者選択リストＬＣｎに設定された視聴者ＩＤを配信先視聴者ＩＤとして追加し、読み出したレコードの配信期間のデータをコピーして設定する（Ｓ１１９）。
【０４３３】
配信者設定部１１０は、さらに、読み出したレコードの告知表示色選択のデータをコピーして、配信者別配信先リストＬＨｎに設定する（Ｓ１１９ａ）。
【０４３４】
配信者設定部１１０は、次のレコードはあるか判定し、ある場合は、Ｓ１１７の処理に戻り、ない場合は、処理を終了する（Ｓ２００）。
【０４３５】
また、図２１と図２２のシーケンスに示したプッシュ方式告知基本情報配信工程において、配信データＨＤｎを作成するデータベースサーバ６０の配信データ抽出部１０５にも、第１の実施の形態における配信データ抽出部１０５と違いがある。
【０４３６】
（データベースサーバ６０の配信データ抽出部１０５）
第２の実施の形態におけるデータベースサーバ６０の配信データ抽出部１０５について、図３７のフローチャートに示すが、図２６に示した第１の実施の形態におけるデータベースサーバ６０の配信データ抽出部１０５との違いは、配信者別配信先リストＬＨｎから読み出すレコードに、告知表示色選択のデータが追加されたため、告知表示色選択に関するステップＳ１２８ａとＳ１２８ｂが追加されたことである。
【０４３７】
その他の図３７のＳ１２１からＳ１３０までのステップは、図２６のＳ２１からＳ３０までのステップと同様である。
【０４３８】
配信データ抽出部１０５は、データベースサーバ６０に内蔵のタイマー（図示せず）で時間計測をして、予め設定された一定時間の待ち状態ののち、以下の処理を繰り返し開始する（Ｓ１２１）。
【０４３９】
配信データ抽出部１０５は、一定時間の間に新たにサーバメモリ２０４に保存された告知基本情報ＭＫｎを順に読み出す（Ｓ１２２）。
【０４４０】
つまり、図６に示した、告知基本情報ＭＫ１、告知基本情報ＭＫ２、告知基本情報ＭＫ３、・・・を１つずつ読み出しては、読み出した告知基本情報ＭＫｎについて以下の処理を行なう。
【０４４１】
配信データ抽出部１０５は、告知基本情報ＭＫｎの配信時期のデータが「１：日時指定」である場合、つまり配信指定日時が設定されている場合、告知基本情報ＭＫｎの配信指定日時を読み出す（Ｓ１２３）。
【０４４２】
配信データ抽出部１０５は、告知基本情報ＭＫｎに設定された配信者ＩＤを読み出す（Ｓ１２４）。
【０４４３】
配信データ抽出部１０５は、当該配信者ＩＤで、配信者情報データベース２０１に保存された配信者別配信先リストＬＨｎを検索する（Ｓ１２５）。
【０４４４】
配信データ抽出部１０５は、該当の配信者別配信先リストＬＨｎに設定された１レコード（配信先視聴者ＩＤと配信期間）を順に読み出す（Ｓ１２６）。
【０４４５】
つまり、１回目の処理では第１の配信先視聴者ＩＤ、配信期間、および告知表示色選択、２回目の処理では第２の配信先視聴者ＩＤ配信先視聴者ＩＤ、配信期間、および告知表示色選択、・・・、ｎ回目の処理では第ｎの配信先視聴者ＩＤ、配信期間、および告知表示色選択と、処理が繰り返されるごとに、１レコードずつ読み出す。
【０４４６】
配信データ抽出部１０５は、読み出したレコードに含まれる配信期間と、現在の日時、または告知基本情報ＭＫｎから読み出した配信指定日時がある場合は、当該配信指定日時を比較して、配信期間内であるか判定する（Ｓ１２７）。
【０４４７】
配信データ抽出部１０５は、配信期間内である場合のみ、読み出した告知基本情報ＭＫｎに読み出したレコードに含まれる配信先視聴者ＩＤを追加して配信データＨＤｎを作成し、サーバメモリ２０４の配信リストＤＴに保存する（Ｓ１２８）。
【０４４８】
つまり、読み出したレコードに含まれる配信先視聴者ＩＤの視聴者が、配信を希望している配信期間に達している告知情報Ｍｎのみが抽出されて、当該視聴者への配信データＨＤｎとなる。
【０４４９】
なお、配信期間には、常時か、開始日時および終了日時が設定されているので、常時の場合は、常に配信期間内として扱われる。
【０４５０】
配信データ抽出部１０５は、読み出したレコードに含まれる告知表示色選択に指定色値が設定されているか判定する（Ｓ１２８ａ）。
【０４５１】
配信データ抽出部１０５は、告知表示色選択に指定色値が設定されている場合、ステップＳ１２８で作成され、サーバメモリ２０４の配信リストＤＴに保存された配信データＨＤｎに含まれる告知表示色を指定色値に書き換える（Ｓ１２８ｂ）。
すなわち、視聴者が告知表示色を指定している場合は、配信者が設定した告知表示色を、視聴者が指定した表示色に変更した配信データＨＤｎにし、告知表示色選択のデータが初期値［０］の場合は、配信者が設定した告知表示色のままでよいので、何もしない。
【０４５２】
配信データ抽出部１０５は、該当の配信者別配信先リストＬＨｎに次のレコードはあるか判定し、ある場合は、Ｓ１２６の処理に戻る（Ｓ１２９）。
【０４５３】
配信データ抽出部１０５は、配信者別配信先リストＬＨｎの全レコードについてステップＳ１２７、Ｓ１２８、Ｓ１２８ａ、およびＳ１２８ｂの処理を行なうと、サーバメモリ２０４に次の告知基本情報ＭＫｎがあるか判定し、ある場合は、ステップＳ１２２の処理に戻り、ない場合は、一旦処理を終了してＳ２１の待ち状態に遷移する（Ｓ１３０）。
【０４５４】
この後、配信データ抽出部１０５によって作成された配信データＨＤｎは、図２１と図２２のシーケンスに示したように、データベースサーバ６０のタイトル配信部１０６によって、視聴者端末４０ｎまで送信され、視聴者端末４０ｎの配信情報受信部４４によって端末メモリ４８の配信情報ＨＴｎに保存される。
【０４５５】
さらに、端末メモリ４８の配信情報ＨＴｎは、視聴者端末４０ｎのタイトル表示部４５によって画面４１に表示される。
【０４５６】
第１の実施の形態において、タイトル表示部４５の詳細処理について、図２９のフローチャートを参照しながら上述したように、タイトル表示部４５は、フォルダＦｎ内に保存された配信データＨＤｎに含まれるタイトルを、配信データＨＤｎに含まれる告知表示色に従って、該当タブＴＧｎのエリアに一覧表示する。
【０４５７】
第１の実施の形態においては、配信データＨＤｎに含まれる告知表示色が、配信者が設定した告知表示色であるの対して、第２の実施の形態では、視聴者が告知表示色選択に指定色値を設定しておけば、配信データＨＤｎに含まれる告知表示色が指定色値に変更されて、配信用クラウド１０から送信されてくる。
【０４５８】
そのため、タイトル表示部４５は、第１の実施の形態と同様の処理を行なっても、配信者が設定した告知表示色か視聴者が指定した指定色のいずれか、視聴者の希望する色でタイトルを表示することになる。
【０４５９】
第１の実施の形態では、図１６の（ｆ）に示した画面イメージでは、告知タイトルＴａ１、Ｔａ２を含むＡ地区タブＴＧａのエリアとＢ地区タブＴＧｂが、図１６の（ｈ）に示した画面イメージでは、Ａ地区タブＴＧａと告知タイトルＴｂ１を含むＢ地区タブＴＧｂのエリアが、それぞれＡ地区配信者と地区配信者が設定した表示色で表示される。
【０４６０】
これに対して、第２の実施の形態では、図３８の（ａ）示すように、Ａ地区タブＴＧａは、Ａ地区配信者が設定した表示色で表示され、告知タイトルＴｂ１は、視聴者が告知表示色として指定した色、たとえば赤で表示される。
【０４６１】
なお、Ｂ地区タブＴＧｂのエリアも視聴者が告知表示色として指定した色で表示してもよい。
【０４６２】
また、タイトル表示部４５を変更し、各フォルダＦｎに対応した配信者名称を付したタブＴＧｎを生成せず、配信情報ＨＴｎに保存された全ての配信データＨＤｎを配信者ごとに分割せずに、受信時刻が直近の配信データＨＤｎから時系列に一覧表示させることもできる。
【０４６３】
図３８の（ｂ）示すように、タブＴＧｎを作成しないで、一画面に、複数の配信者からの全ての告知タイトルＴａ１、Ｔａ２、Ｔｂ１、Ｔａ３、・・・を表示しても、視聴者が特定の配信者からの配信データＨＤｎの告知表示色を予め指定したおき、その指定色、たとえば赤で表示することで、視聴者にとってはどの配信者からか容易に識別することができる。
【０４６４】
このとき、配信データＨＤｎに含まれる配信者を象徴するアイコン画像は、各告知タイトルＴａ１、Ｔａ２、Ｔｂ１、Ｔａ３内に、アイコンＭａ、Ｍｂとして表示される。
【０４６５】
このように、視聴者が配信者ごとにタイトルを表示する色を設定できることで、視聴者にとって、必ず読みたい配信者のタイトルには目立つ色を指定するなど、視聴者の要望を実現できる。
【０４６６】
したがって、例えば本会員が松江（Ａ地区）から２０１４年９月１０日の１０時００分に交通期間で東京の千代田区（Ｂ地区）に移動して２０１４年９月１０日の１５時００分に到着する場合には、Ｂ地区からの配信日時を２０１４年９月１０日の１５時００分から１９時００分と設定し、色を赤に設定した場合には、Ｂ地区からの告知を赤で受信できることになる。
【０４６７】
このため、Ｂ地区の告知だけを見たい場合は、告知タイトルの表示色が赤であれば、Ｂ地区から配信された告知タイトルであるとわかるので、赤で表示された告知タイトルのみを読めばよく、全ての告知タイトルの内容を読んで、Ｂ地区からかどうか逐一確認しなくて済む。
【０４６８】
また、Ａ地区も同じ配信日時で受信するように設定している場合にＢ地区の告知だけを見たい場合は、Ａ地区は色（例えば緑）がＢ地区（赤）と異なるように設定しておけば、緑の告知タイトルは無視して赤の告知タイトルが表示された場合に、この告知タイトルはＢ地区からのものであることが容易にわかる。
【０４６９】
＜本発明のその他の実施の形態＞
本発明のその他の実施の形態における告知配信システムでは、配信者が告知情報Ｍｎの告知種別と告知種別ごとのタイトル表示形式を設定する表示枠種別を告知基本情報ＭＫｎに追加し、視聴者が告知種別ごとにタイトル表示形式を選択できる表示枠選択種別のデータを表示条件として配信者別設定情報ＨＳｎ（視聴者ＩＤ、配信者ＩＤ、配信者名称、配信選択（不要、希望）、配信期間、告知表示色選択）に追加する。
【０４７０】
たとえば、告知情報Ｍｎの告知種別の値は、「０（一般情報）」、「１（イベント情報）」、「２（気象情報）」、または「３（警戒情報）」などとする。
【０４７１】
また、タイトル表示形式を設定する表示枠種別、およびタイトル表示形式を選択する表示枠選択種別に設定する表示枠データは、図３９の（ｂ）に例示した告知タイトルＴａ１の飾り枠を「表示枠１」、告知タイトルＴａ２の飾り枠を「表示枠２」、告知タイトルＴａ３の飾り枠を「表示枠３」、および告知タイトルＴａ４の飾り枠を「表示枠４」などとする。
【０４７２】
配信者は、配信者端末３０ｎから告知情報Ｍｎを入力するときに、登録しようとしている告知情報Ｍｎの告知種別と、告知情報Ｍｎのタイトルを視聴者端末４０ｎに表示させるときの飾り枠の表示枠種別を告知基本情報ＭＫｎに設定する。
【０４７３】
つまり、告知基本情報ＭＫｎには、告知表示色、告知ＩＤ、配信者ＩＤ、タイトルの他に、告知種別と表示枠種別が含まれる。
【０４７４】
一方、視聴者は、視聴者端末４０ｎの表示設定部４３により、データベースサーバ６０から送信される配信者選択フォーマットで、配信を希望する各配信者について、告知種別ごとにどの飾り枠で表示したいか表示枠選択種別を設定し、設定した配信者別設定情報ＨＳｎをデータベースサーバ６０に返信する。
【０４７５】
視聴者は、配信者の設定通りで構わない場合は、表示枠選択種別に「初期のまま：０」を設定する。
【０４７６】
つまり、配信者別設定情報ＨＳｎには、視聴者ＩＤ、配信者ＩＤ、配信者名称、配信選択（不要、希望）、配信期間、告知表示色選択の他に、第１の告知種別とその表示枠選択種別、第２の告知種別とその表示枠選択種別、第３の告知種別とその表示枠選択種別、・・・が含まれる。
【０４７７】
データベースサーバ６０の配信者設定部１１０は、視聴者端末４０ｎから受信する配信者別設定情報ＨＳｎに設定された第１の告知種別とその表示枠選択種別、第２の告知種別とその表示枠選択種別、第３の告知種別とその表示枠選択種別、・・・を、上述した配信期間や告知表示色選択のデータと同様に、配信者別配信先リストＬＨｎに設定する。
【０４７８】
データベースサーバ６０の配信データ抽出部１０５は、告知基本情報ＭＫｎに設定された告知種別に対する、配信者別配信先リストＬＨｎに含まれる表示枠選択種別が「初期のまま：０」でなく、表示枠データが設定されている場合、サーバメモリ２０４の配信リストＤＴに保存された配信データＨＤｎに含まれる表示枠種別のデータを当該表示枠選択種別のデータに書き換える。
【０４７９】
つまり、配信データＨＤｎには、告知ＩＤ、配信者ＩＤ、配信先視聴者ＩＤ、配信者名称、アイコン画像、告知表示色、タイトル、コンテンツ種別、配信時期、配信指定日時の他に、告知種別と、配信者が設定した表示枠種別か、視聴者が選択した表示枠選択種別のデータによって上書きされた表示枠種別が含まれる。
【０４８０】
データベースサーバ６０のタイトル配信部１０６によって視聴者端末４０ｎに配信される配信データＨＤｎは、端末メモリ４８の配信情報ＨＴｎの該当するフォルダＦｎ内に保存される。
【０４８１】
視聴者端末４０ｎのタイトル表示部４５は、選択されたタブＴＧｎに該当するフォルダＦｎ内に保存された配信データＨＤｎに含まれるタイトルを、配信データＨＤｎに含まれる表示枠種別により指定された飾り枠で、当該タブＴＧｎのエリアに表示する。
【０４８２】
具体的な表示例について、図３９に示した、視聴者端末４０ｎのタイトル表示部４５による画面４１への告知タイトルの表示イメージを参照しながら、表示形式について説明する。
【０４８３】
図３９の（ａ）には、図１６で示した配信者名称を付したタブＴＧｎの表示形式以外の例を示している。
【０４８４】
視聴者が配信を希望した配信者から、告知情報Ｍｎの告知基本情報ＭＫｎを配信データＨＤｎとして受信している場合は、その配信者の配信者名称と受信した配信データＨＤｎの未読数を表示したタブＴＧｎを、図１６の（ｆ）のように横一列に表示していく代わりに、配信者告知状況という画面内に縦列×横列の表形式に並べて表示する。
【０４８５】
図３９の（ａ）では、Ａ地区の配信者から４件の未読告知があることを、視聴者が告知表示色選択で指定した緑で示したタブＴＧａと、タブＴＧａの横に、Ｂ地区の配信者から１件の未読告知があることを、視聴者が告知表示色選択で指定した赤で示したタブＴＧｂと、タブＴＧａの下に、Ｘ市の配信者から５件の未読告知があることを、Ｘ市の配信者が告知表示色として設定した青で示したタブＴＧｃが表示されている。
【０４８６】
図３９の（ａ）で、点線で示したタブＴＧｘは、視聴者がさらに配信希望と新たな配信者を選択し、当該配信者から告知情報Ｍｎの告知基本情報ＭＫｎを配信データＨＤｎとして受信した場合に、新たに追加される。
【０４８７】
図３９の（ａ）の表示形式は、第２の実施の形態でも可能であり、第１の実施の形態でも表示色が配信者の設定した告知表示色に限定されるが可能であり、図１６の（ｆ）に示した表示形式と、図３９の（ａ）に示した表示形式のどちらで表示するかを選択できるようにするのが好ましい。
【０４８８】
図３９の（ｂ）に示すように、視聴者が、図３９の（ａ）の表示状態で、タブＴＧａをタップして選択した場合の表示イメージで、Ａ地区の配信者から受信した４件の告知タイトルＴａ１、Ｔａ２、Ｔａ３、およびＴａ４が、Ａ地区告知タイトルの画面に表示される。
【０４８９】
ここで、たとえば、告知タイトルＴａ１の配信データＨＤ１には告知種別「０（一般情報）」と表示枠種別「表示枠１」、告知タイトルＴａ２の配信データＨＤ２には告知種別「１（イベント情報）」と表示枠種別「表示枠２」、告知タイトルＴａ３の配信データＨＤ３には告知種別「２（気象情報）」と表示枠種別「表示枠３」、および告知タイトルＴａ４の配信データＨＤ４には告知種別「３（警戒情報）」と表示枠種別「表示枠４」が設定されているとする。
【０４９０】
視聴者端末４０ｎのタイトル表示部４５は、各タイトルを表示枠種別に従って表示するので、図３９の（ｂ）に示すように、告知タイトルＴａ１、Ｔａ２、Ｔａ３、およびＴａ４が、それぞれ異なる「表示枠１」、「表示枠２」、「表示枠３」、および「表示枠４」で表示される。
【０４９１】
さらに、告知種別ごとに表示色を選択するデータを追加することで、視聴者端末４０ｎのタイトル表示部４５による画面４１への告知タイトルの表示方法は、いろいろな組み合わせが可能となる。
【０４９２】
第１の実施の形態や第２の実施の形態でも、図１６に示した表示イメージは例であって、図１６に示した飾り枠に代わって、図３９の（ｂ）に示した飾り枠のいずれかを告知配信システムとして採用することができる。
【０４９３】
以上に示した実施の形態は、本発明の技術的思想を具体化するためのシステムの構成や処理手順を例示するものであって、構成サーバの配置や組み合わせ、および処理の順番等を限定するものではない。
【０４９４】
本発明の技術的思想は、特許請求の範囲に記載された技術的範囲内において、種々の変更を加えることができる。図面は模式的なものであり、サーバの構成等は現実のものとは異なることに留意すべきである。
【符号の説明】
【０４９５】
１０      配信用クラウド
２０      管理者端末
３０ａ、３０ｂ      配信者端末
４０ｎ    視聴者端末
４１      画面
４２      セッション確立部
４３      表示設定部
４４      配信情報受信部
４５      タイトル表示部
４６      タイトル削除部
４７      コンテンツ取得部
４８      端末メモリ
５０      システム管理サーバ
６０      データベースサーバ
６１      ストレージサーバ
６２ａ、６２ｂ      低容量コンテンツ配信サーバ
６３ａ、６３ｂ      大容量コンテンツ配信サーバ
７０      配信管理サーバ
８０      セッション確立サーバ
８１ａ、８１ｂ      告知配信サーバ
１０１    配信者登録部
１０２    配信者認証部
１０３    入力画面提供部
１０４    告知情報登録部
１０５    配信データ抽出部
１０６    タイトル配信部
１０７    ログ更新部
１０８    視聴者登録部
１０９    視聴者認証部
１１０    配信者設定部
１１１    テキスト送信部
１１２    動画登録部
１１３    動画送信部
２０１    配信者情報データベース
２０２    視聴者情報データベース
２０３    画面構成情報マスタ
２０４    サーバメモリ
３０１    ストレージ
【図１】
0006425472.tif 000002
【図２】
0006425472.tif 000003
【図３】
0006425472.tif 000004
【図４】
0006425472.tif 000005
【図５】
0006425472.tif 000006
【図６】
0006425472.tif 000007
【図７】
0006425472.tif 000008
【図８】
0006425472.tif 000009
【図９】
0006425472.tif 000010
【図１０】
0006425472.tif 000011
【図１１】
0006425472.tif 000012
【図１２】
0006425472.tif 000013
【図１３】
0006425472.tif 000014
【図１４】
0006425472.tif 000015
【図１５】
0006425472.tif 000016
【図１６】
0006425472.tif 000017
【図１７】
0006425472.tif 000018
【図１８】
0006425472.tif 000019
【図１９】
0006425472.tif 000020
【図２０】
0006425472.tif 000021
【図２１】
0006425472.tif 000022
【図２２】
0006425472.tif 000023
【図２３】
0006425472.tif 000024
【図２４】
0006425472.tif 000025
【図２５】
0006425472.tif 000026
【図２６】
0006425472.tif 000027
【図２７】
0006425472.tif 000028
【図２８】
0006425472.tif 000029
【図２９】
0006425472.tif 000030
【図３０】
0006425472.tif 000031
【図３１】
0006425472.tif 000032
【図３２】
0006425472.tif 000033
【図３３】
0006425472.tif 000034
【図３４】
0006425472.tif 000035
【図３５】
0006425472.tif 000036
【図３６】
0006425472.tif 000037
【図３７】
0006425472.tif 000038
【図３８】
0006425472.tif 000039
【図３９】
0006425472.tif 000040